(57)【要約】【課題】効率的に通信状況を監視する端末装置、通信方法および集積回路に関する技術を提供すること。【解決手段】端末装置が、セルにおいて、第１の周波数と、第２の周波数とを切り替えて基地局装置と通信し、セルにおける無線リンク監視のためのタイマーが、連続して所定の回数、同期外れを検出することに基づいて開始され、タイマーは、第１の周波数と第２の周波数とを切り替える場合、停止され、第１の周波数、および、第２の周波数の何れか一方は、端末装置が無線リソース制御接続を確立した周波数である。【選択図】図８
2019110356.tif 000002
【特許請求の範囲】
【請求項１】
基地局装置とセルを介して通信する端末装置であって、
前記セルにおいて、第１の周波数と、前記第１の周波数とは異なる第２の周波数とを切り替えて前記基地局装置と通信し、
前記セルにおける無線リンク監視のためのタイマーは、前記第１の周波数と前記第２の周波数とで共通であり、
前記タイマーは、連続して所定の回数、同期外れ（ｏｕｔ-ｏｆ-ｓｙｎｃ）を検出することに基づいて開始され、
前記タイマーは、前記第１の周波数と前記第２の周波数とを切り替える場合、停止され、
前記第１の周波数、および、前記第２の周波数の何れか一方は、前記端末装置が無線リソース制御（ＲＲＣ）接続を確立した周波数である
ことを特徴とする端末装置。
【請求項２】
第１の同期外れが前記第１の周波数において検出され、第２の同期外れが前記第２の周波数において検出される場合、前記第１の同期外れ、および、前記第２の同期外れが連続していたとしても、前記第１の同期外れ、および、前記第２の同期外れを連続していないとみなす
ことを特徴とする請求項１記載の端末装置。
【請求項３】
前記タイマーは、連続して所定の回数、同期内（ｉｎ-ｓｙｎｃ）を検出することに基
づいて停止され、
第１の同期内が前記第１の周波数において検出され、第２の同期内が前記第２の周波数において検出される場合、前記第１の同期内、および、前記第２の同期内が連続していたとしても、前記第１の同期内、および、前記第２の同期内を連続していないとみなす
ことを特徴とする請求項１記載の端末装置。
【請求項４】
前記第１の周波数において検出される第１の同期外れ、および、前記第２の周波数において検出される第２の同期外れを連続しているとみなす
ことを特徴とする請求項１記載の端末装置。
【請求項５】
前記タイマーは、連続して所定の回数、同期内（ｉｎ-ｓｙｎｃ）を検出することに基
づいて停止され、
前記第１の周波数において検出される第１の同期内、および、前記第２の周波数において検出される第２の同期内を連続しているとみなす
ことを特徴とする請求項１記載の端末装置。
【請求項６】
基地局装置とセルを介して通信する端末装置であって、
前記セルにおいて、第３の周波数と、前記第３の周波数とは異なる第４の周波数とを切り替えて前記基地局装置と通信し、
前記セルにおける無線リンク監視において、同期外れ（ｏｕｔ-ｏｆ-ｓｙｎｃ）の検出を前記第３の周波数と前記第４の周波数の何れかでのみ行い、
前記第３の周波数、および、前記第４の周波数の何れか一方は、前記端末装置が無線リソース制御（ＲＲＣ）接続を確立した周波数である
ことを特徴とする端末装置。
【請求項７】
前記セルにおける無線リンク監視のためのタイマーは、連続して所定の回数、前記第３の周波数において前記同期外れを検出することに基づいて開始され、
前記タイマーは、前記第３の周波数から前記第４の周波数に切り替わる場合、停止され
る
ことを特徴とする請求項６記載の端末装置。
【請求項８】
前記セルにおける無線リンク監視のためのタイマーは、連続して所定の回数、前記第３の周波数において前記同期外れを検出することに基づいて開始され、
前記タイマーは、前記第３の周波数から前記第４の周波数に切り替わる場合に、前記同期外れの検出を一時停止（ｓｕｓｐｅｎｄ）し、尚且つ、前記第３の周波数から前記第４の周波数に切り替わる場合、前記同期外れの検出を一時停止し、前記第４の周波数から前記第３の周波数に戻る場合、前記同期外れの検出を再開（ｒｅｓｕｍｅ）する
ことを特徴とする請求項６記載の端末装置。
【請求項９】
前記一時停止の直前に検出した前記同期外れ、および、前記再開の直後に検出した前記同期外れを、連続しているとみなす
ことを特徴とする請求項８記載の端末装置。
【請求項１０】
基地局装置とセルを介して通信する端末装置に適用される通信方法であって、
前記セルにおいて、第１の周波数と、前記第１の周波数とは異なる第２の周波数とを切り替えて前記基地局装置と通信するステップを少なくとも含み、
前記セルにおける無線リンク監視のためのタイマーは、前記第１の周波数と前記第２の周波数とで共通であり、
前記タイマーは、連続して所定の回数、同期外れ（ｏｕｔ-ｏｆ-ｓｙｎｃ）を検出することに基づいて開始され、
前記タイマーは、前記第１の周波数と前記第２の周波数とを切り替える場合、停止され、
前記第１の周波数、および、前記第２の周波数の何れか一方は、前記端末装置が無線リソース制御（ＲＲＣ）接続を確立した周波数である
ことを特徴とする通信方法。
【請求項１１】
基地局装置とセルを介して通信する端末装置に実装される集積回路であって、
前記セルにおいて、第１の周波数と、前記第１の周波数とは異なる第２の周波数とを切り替えて前記基地局装置と通信する機能を前記端末装置に対して発揮させ、
前記セルにおける無線リンク監視のためのタイマーは、前記第１の周波数と前記第２の周波数とで共通であり、
前記タイマーは、連続して所定の回数、同期外れ（ｏｕｔ-ｏｆ-ｓｙｎｃ）を検出することに基づいて開始され、
前記タイマーは、前記第１の周波数と前記第２の周波数とを切り替える場合、停止され、
前記第１の周波数、および、前記第２の周波数の何れか一方は、前記端末装置が無線リソース制御（ＲＲＣ）接続を確立した周波数である
ことを特徴とする集積回路。
【請求項１２】
基地局装置とセルを介して通信する端末装置に適用される通信方法であって、
前記セルにおいて、第３の周波数と、前記第３の周波数とは異なる第４の周波数とを切り替えて前記基地局装置と通信するステップを少なくとも含み、
前記セルにおける無線リンク監視において、同期外れ（ｏｕｔ-ｏｆ-ｓｙｎｃ）の検出を前記第３の周波数と前記第４の周波数の何れかでのみ行い、
前記第３の周波数、および、前記第４の周波数の何れか一方は、前記端末装置が無線リソース制御（ＲＲＣ）接続を確立した周波数である
ことを特徴とする通信方法。
【請求項１３】
基地局装置とセルを介して通信する端末装置に実装される集積回路であって、
前記セルにおいて、第３の周波数と、前記第３の周波数とは異なる第４の周波数とを切り替えて前記基地局装置と通信する機能を前記端末装置に対して発揮させ、
前記セルにおける無線リンク監視において、同期外れ（ｏｕｔ-ｏｆ-ｓｙｎｃ）の検出を前記第３の周波数と前記第４の周波数の何れかでのみ行い、
前記第３の周波数、および、前記第４の周波数の何れか一方は、前記端末装置が無線リソース制御（ＲＲＣ）接続を確立した周波数である
ことを特徴とする集積回路。
【発明の詳細な説明】
【技術分野】
【０００１】
本発明は、端末装置、通信方法、および、集積回路に関する。
【背景技術】
【０００２】
セルラー移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）が、第三世代パートナーシッププロジェクト（3ｒｄ  Ｇｅｎｅｒａｔｉｏｎ
Ｐａｒｔｎｅｒｓｈｉｐ  Ｐｒｏｊｅｃｔ：3ＧＰＰ）において検討されている（非特
許文献１、２、３、４、５）。ＬＴＥでは、基地局装置をｅＮｏｄｅＢ（ｅｖｏｌｖｅｄ
ＮｏｄｅＢ）、端末装置をＵＥ（Ｕｓｅｒ  Ｅｑｕｉｐｍｅｎｔ）とも称する。ＬＴＥは、基地局装置がカバーするエリアをセル状に複数配置するセルラー通信システムである。単一の基地局装置は複数のセルを管理してもよい。
【０００３】
３ＧＰＰでは、モノのインターネット（Ｉｎｔｅｒｎｅｔ  ｏｆ  Ｔｈｉｎｇｓ）のために、狭帯域のバンド（Ｎａｒｒｏｗ  Ｂａｎｄ）を使った無線技術（Ｒａｄｉｏ  Ｔｅｃｈｎｏｌｏｇｙ）の標準化が検討されており、通常のＬＴＥキャリアのリソースを利用するもの（インバンド）やガードバンドを利用するもの（ガードバンド）、通常のＬＴＥで使用されていないバンドを利用するもの（スタンドアロン）などのデプロイメントが検討されている（非特許文献６）。また、主にセル接続（システム情報の取得など）のために用いられるアンカーＰＲＢと、それ以外のＰＲＢ（非アンカーＰＲＢ）とを端末装置に割り当てて通信することが検討されている（非特許文献７）。
【先行技術文献】
【非特許文献】
【０００４】
【非特許文献１】3ＧＰＰ  ＴＳ  ３６．２１１  Ｖ１３．０．０  （２０１５−１２）   ｈｔｔｐ：／／ｗｗｗ．３ｇｐｐ．ｏｒｇ／ＤｙｎａＲｅｐｏｒｔ／３６２１１．ｈｔｍ
【非特許文献２】３ＧＰＰ  ＴＳ  ３６．２１２  Ｖ１３.０．０  （２０１５−１２）   ｈｔｔｐ：／／ｗｗｗ．３ｇｐｐ．ｏｒｇ／ＤｙｎａＲｅｐｏｒｔ／３６２１２．ｈｔｍ
【非特許文献３】３ＧＰＰ  ＴＳ  ３６．２１３  Ｖ１３.０．０  （２０１５−１２）   ｈｔｔｐ：／／ｗｗｗ．３ｇｐｐ．ｏｒｇ／ＤｙｎａＲｅｐｏｒｔ／３６２１３．ｈｔｍ
【非特許文献４】３ＧＰＰ  ＴＳ  ３６．３２１  Ｖ１３.０．０  （２０１５−１２）   ｈｔｔｐ：／／ｗｗｗ．３ｇｐｐ．ｏｒｇ／ＤｙｎａＲｅｐｏｒｔ／３６３２１．ｈｔｍ
【非特許文献５】３ＧＰＰ  ＴＳ  ３６．３３１  Ｖ１３.０．０  （２０１５−１２）   ｈｔｔｐ：／／ｗｗｗ．３ｇｐｐ．ｏｒｇ／ＤｙｎａＲｅｐｏｒｔ／３６３３１．ｈｔｍ
【非特許文献６】ＲＰ−１５１６２１  Ｎｅｗ  Ｗｏｒｋ  Ｉｔｅｍ：ＮａｒｒｏｗＢａｎｄ  ＩＯＴ  （ＮＢ―ＩＯＴ），Ｑｕａｌｃｏｍｍ  Ｉｎｃｏｒｐｏｒａｔｅｄ  ｈｔｔｐ：／／ｗｗｗ．3ｇｐｐ．ｏｒｇ／ｆｔｐ／ｔｓｇ＿ｒａｎ／ＴＳＧ＿ＲＡＮ／ＴＳＧＲ＿６９／Ｄｏｃｓ／ＲＰ−１５１６２１．ｚｉｐ
【非特許文献７】ＲＰ−１６０１８３  Ｓｔａｔｕｓ  Ｒｅｐｏｒｔ  ｔｏ  ＴＳＧ  ｈｔｔｐ：／／ｗｗｗ．3ｇｐｐ．ｏｒｇ／ｆｔｐ／ｔｓｇ＿ｒａｎ／ＴＳＧ＿ＲＡＮ／ＴＳＧＲ＿７１／Ｄｏｃｓ／ＲＰ−１６０１８３．ｚｉｐ
【発明の概要】
【課題を解決するための手段】
【０００５】
本発明は、基地局装置との通信状況を効率的に監視することができる端末装置、該端末装置と通信する基地局装置、該端末装置に用いられる通信方法、該基地局装置に用いられる通信方法、該端末装置に実装される集積回路、該基地局装置に実装される集積回路を提供する。
【０００６】
（１）上記の目的を達成するために、本発明の一態様は、以下のような手段を講じた。すなわち、本発明の第１の態様は、基地局装置とセルを介して通信する端末装置であって、セルにおいて、第１の周波数と、第１の周波数とは異なる第２の周波数とを切り替えて基地局装置と通信し、セルにおける無線リンク監視のためのタイマーは、第１の周波数と第２の周波数とで共通であり、タイマーは、連続して所定の回数、同期外れ（ｏｕｔ-ｏ
ｆ-ｓｙｎｃ）を検出することに基づいて開始され、タイマーは、第１の周波数と第２の
周波数とを切り替える場合、停止され、第１の周波数、および、第２の周波数の何れか一方は、端末装置が無線リソース制御（ＲＲＣ）接続を確立した周波数である。
【０００７】
（２）本発明の第１の態様において、第１の同期外れが第１の周波数において検出され、第２の同期外れが第２の周波数において検出される場合、第１の同期外れ、および、第２の同期外れが連続していたとしても、第１の同期外れ、および、第２の同期外れを連続していないとみなす。
【０００８】
（３）本発明の第１の態様において、タイマーは、連続して所定の回数、同期内（ｉｎ-ｓｙｎｃ）を検出することに基づいて停止され、第１の同期内が第１の周波数において
検出され、第２の同期内が第２の周波数において検出される場合、第１の同期内、および、第２の同期内が連続していたとしても、第１の同期内、および、第２の同期内を連続していないとみなす。
【０００９】
（４）本発明の第１の態様において、第１の周波数において検出される第１の同期外れ、および、第２の周波数において検出される第２の同期外れを連続しているとみなす。
【００１０】
（５）本発明の第１の態様において、タイマーは、連続して所定の回数、同期内（ｉｎ-ｓｙｎｃ）を検出することに基づいて停止され、第１の周波数において検出される第１
の同期内、および、第２の周波数において検出される第２の同期内を連続しているとみなす。
【００１１】
（６）本発明の第２の態様は、基地局装置とセルを介して通信する端末装置であって、セルにおいて、第３の周波数と、第３の周波数とは異なる第４の周波数とを切り替えて前記基地局装置と通信し、セルにおける無線リンク監視において、同期外れ（ｏｕｔ-ｏｆ-ｓｙｎｃ）の検出を第３の周波数と第４の周波数の 何れかでのみ行い、第３の周波数、
および、第４の周波数の何れか一方は、端末装置が無線リソース制御（ＲＲＣ）接続を確立した周波数である。
【００１２】
（７）本発明の第２の態様において、セルにおける無線リンク監視のためのタイマーは、連続して所定の回数、第３の周波数において同期外れを検出することに基づいて開始され、タイマーは、第３の周波数から第４の周波数に切り替わる場合、停止される。
【００１３】
（８）本発明の第２の態様において、セルにおける無線リンク監視のためのタイマーは、連続して所定の回数、第３の周波数において同期外れを検出することに基づいて開始され、タイマーは、第３の周波数から第４の周波数に切り替わる場合に、同期外れの検出を
一時停止（ｓｕｓｐｅｎｄ）し、尚且つ、第３の周波数から第４の周波数に切り替わる場合、同期外れの検出を一時停止し、第４の周波数から第３の周波数に戻る場合、同期外れの検出を再開（ｒｅｓｕｍｅ）する。
【００１４】
（９）本発明の第２の態様において、一時停止の直前に検出した前記同期外れ、および、再開の直後に検出した同期外れを、連続しているとみなす。
【００１５】
（１０）本発明の第３の態様は、基地局装置とセルを介して通信する端末装置に適用される通信方法であって、セルにおいて、第１の周波数と、第１の周波数とは異なる第２の周波数とを切り替えて基地局装置と通信するステップを少なくとも含み、セルにおける無線リンク監視のためのタイマーは、第１の周波数と第２の周波数とで共通であり、タイマーは、連続して所定の回数、同期外れ（ｏｕｔ-ｏｆ-ｓｙｎｃ）を検出することに基づいて開始され、タイマーは、第１の 周波数と前記第２の周波数とを切り替える場合、停止
され、第１の周波数、および、第２の周波数の何れか一方は、端末装置が無線リソース制御（ＲＲＣ）接続を確立した周波数である。
【００１６】
（１１）本発明の第４の態様は、基地局装置とセルを介して通信する端末装置に実装される集積回路であって、セルにおいて、端末装置が無線リソース制御（ＲＲＣ）接続を確立する第１の周波数と、第１の周波数とは異なる第２の周波数とを切り替えて前記基地局装置と通信する機能を端末装置に対して発揮させ、セルにおける無線リンク監視のためのタイマーは、第１の周波数と第２の周波数とで共通であり、タイマーは、連続して所定の回数、同期外れ（ｏｕｔ-ｏｆ- ｓｙｎｃ）を検出することに基づいて開始され、タイマ
ーは、第１の周波数と第２の周波数とを切り替える場合、停止され、第１の周波数、および、第２の周波数の何れか一方は、端末装置が無線リソース制御（ＲＲＣ）接続を確立した周波数である。
【００１７】
（１２）本発明の第５の態様は、基地局装置とセルを介して通信する端末装置に適用される通信方法であって、セルにおいて、第３の周波数と、第３の周波数とは異なる第４の周波数とを切り替えて基地局装置と通信するステップを少なくとも含み、
セルにおける無線リンク監視において、同期外れ（ｏｕｔ-ｏｆ-ｓｙｎｃ）の検出を第３の周波数と前記第４の周波数の何れかでのみ行い、第３の周波数、および、第４の周波数の何れか一方は、端末装置が無線リソース制御（ＲＲＣ）接続を確立した周波数である。
【００１８】
（１３）本発明の第６の態様は、基地局装置とセルを介して通信する端末装置に実装される集積回路であって、セルにおいて、第３の周波数と、第３の周波数とは異なる第４の周波数とを切り替えて基地局装置と通信する機能を端末装置に対して発揮させ、セルにおける無線リンク監視において、同期外れ（ｏｕｔ- ｏｆ-ｓｙｎｃ）の検出を第３の周波
数と第４の周波数の何れかでのみ行い、第３の周波数、および、第４の周波数の何れか一方は、端末装置が無線リソース制御（ＲＲＣ）接続を確立した周波数である。
【発明の効果】
【００１９】
この発明によれば、端末装置は、効率的に基地局装置との通信状況を監視することができる。
【図面の簡単な説明】
【００２０】
【図１】本実施形態の無線通信システムの概念図である。
【図２】本発明の実施形態に係る端末装置の概略構成の一例を示すブロック図である。
【図３】本発明の実施形態に係る基地局装置の概略構成の一例を示すブロック図である。
【図４】本発明の実施形態に係るユーザ平面（ＵＰ（Ｕｓｅｒ−ｐｌａｎｅ、Ｕ−Ｐｌａｎｅ））プロトコルスタックを表す図である。
【図５】本発明の実施形態に係る制御平面（ＣＰ（Ｃｏｎｔｒｏｌ−ｐｌａｎｅ、Ｃ−Ｐｌａｎｅ））プロトコルスタックを表す図である。
【図６】本発明の実施形態に係る競合ベースランダムアクセス手順に関するシーケンスチャートの一例を示す図である。
【図７】本発明の実施形態に係る非競合ベースランダムアクセス手順に関するシーケンスチャートの一例を示す図である。
【図８】本発明の実施形態に係る無線リンク監視の一例を示す図である。
【図９】本発明の実施形態に係る無線リンク監視の別の一例を示す図である。
【図１０】本発明の実施形態に係る無線リンク監視の別の一例を示す図である。
【図１１】本発明の実施形態に係る無線リンク監視の別の一例を示す図である。
【図１２】本発明の実施形態に係る無線リンク監視の別の一例を示す図である。
【図１３】本発明の実施形態に係る無線リンク監視の別の一例を示す図である。
【図１４】本発明の実施形態に係る無線リンク監視の別の一例を示す図である。
【発明を実施するための形態】
【００２１】
以下、本発明の実施形態について説明する。
【００２２】
本実施形態の無線通信システムについて説明する。
【００２３】
ＬＴＥ（Ｌｏｎｇ  Ｔｅｒｍ  Ｅｖｏｌｕｔｉｏｎ）（登録商標）とＮＢ−ＩｏＴ（Ｎａｒｒｏｗ  Ｂａｎｄ  Ｉｎｔｅｒｎｅｔ  ｏｆ  Ｔｈｉｎｇｓ）は、異なるＲＡＴ（Ｒａｄｉｏ  Ａｃｃｅｓｓ  Ｔｅｃｈｎｏｌｏｇｙ）として定義されてもよい。ＮＢ−ＩｏＴは、ＬＴＥに含まれる技術として定義されてもよい。本実施形態はＮＢ−ＩｏＴに対して適用されるが、ＬＴＥや、他のＲＡＴに適用されてもよい。
【００２４】
図１は、本実施形態の無線通信システムの概念図である。図１において、無線通信システムは、端末装置２Ａ、端末装置２Ｂ、基地局装置３Ａ、および、基地局装置３Ｂを具備する。端末装置２Ａ、および、端末装置２Ｂを、端末装置２とも称する。基地局装置３は、基地局装置３Ａ、および、基地局装置３Ｂを含む。基地局装置３Ａ、および、基地局装置３Ｂは、別の装置として定義されてもよい。基地局装置３は、コアネットワーク装置を含んでもよい。
【００２５】
端末装置２Ａ、および、基地局装置３Ａは、ＮＢ−ＩｏＴを用いて互いに通信する。端末装置２Ｂ、および、基地局装置３Ｂは、ＮＢ−ＩｏＴを用いて互いに通信する。
【００２６】
本実施形態の無線通信システムは、ＴＤＤ（Time Division Duplex）および／またはＦＤＤ（Ｆｒｅｑｕｅｎｃｙ  Ｄｉｖｉｓｉｏｎ  Ｄｕｐｌｅｘ）が適用される。本実施形態では、端末装置２に対して１つのサービングセルが設定される。端末装置２に対して設定されるサービングセルを、ＮＢ−ＩｏＴセルとも称する。
【００２７】
該設定される１つのサービングセルは、１つのプライマリーセルであってもよい。プライマリーセルは、初期コネクション確立（ｉｎｉｔｉａｌ  ｃｏｎｎｅｃｔｉｏｎ  ｅｓｔａｂｌｉｓｈｍｅｎｔ）プロシージャが行なわれたサービングセル、コネクション再確立（ｃｏｎｎｅｃｔｉｏｎ  ｒｅ―ｅｓｔａｂｌｉｓｈｍｅｎｔ）プロシージャを開始したサービングセル、または、ハンドオーバプロシージャにおいてプライマリーセルと指示されたセルである。
【００２８】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２９】
本実施形態は、スタンドアロン（ｓｔａｎｄａｌｏｎｅ）、ガードバンド（ｇｕａｒｄ
ｂａｎｄ）、および、インバンド（ｉｎ―ｂａｎｄ）の３つのシナリオ／モードに対して適用してもよい。スタンドアロンモードにおいて、ＮＢ−ＩｏＴセル のチャネル帯域
幅はＬＴＥセルのチャネル帯域幅に含まれない。ガードバンドモードにおいて、ＮＢ−ＩｏＴセルのチャネル帯域幅はＬＴＥセルのガードバンドに含まれる。インバンドモードは、ＮＢ−ＩｏＴセルのチャネル帯域幅はＬＴＥセルの送信帯域幅に含まれる。例えば、ＬＴＥセルのガードバンドは、ＬＴＥセルのチャネル帯域幅に含まれるが、該ＬＴＥセルの送信帯域幅に含まれない帯域である。本実施形態は、何れのモードに対しても適用可能である。
【００３０】
本実施形態の物理チャネルおよび物理シグナルについて説明する。
【００３１】
図１において、基地局装置３から端末装置２への下りリンクの無線通信では、以下の下りリンク物理チャネルが用いられる。下りリンク物理チャネルは、上位層から出力された情報を送信するために、物理層によって使用される。
・ＮＰＢＣＨ（Ｎａｒｒｏｗｂａｎｄ  Ｐｈｙｓｉｃａｌ  Ｂｒｏａｄｃａｓｔ  Ｃｈａｎｎｅｌ）
・ＮＰＤＣＣＨ（Ｎａｒｒｏｗｂａｎｄ  Ｐｈｙｓｉｃａｌ  Ｄｏｗｎｌｉｎｋ  Ｃｏｎｔｒｏｌ  Ｃｈａｎｎｅｌ）
・ＮＰＤＳＣＨ（Ｎａｒｒｏｗｂａｎｄ  Ｐｈｙｓｉｃａｌ  Ｄｏｗｎｌｉｎｋ  Ｓｈａｒｅｄ  Ｃｈａｎｎｅｌ）
【００３２】
ＮＰＢＣＨは、端末装置２で共通に用いられるシステム情報を報知するために用いられる。
【００３３】
ＮＰＤＣＣＨは、ＮＰＤＳＣＨのスケジューリングのために用いられる下りリンク制御情報（Ｎａｒｒｏｗ  Ｂａｎｄ  Ｄｏｗｎｌｉｎｋ  Ｃｏｎｔｒｏｌ  Ｉｎｆｏｒｍａｔｉｏｎ: ＤＣＩ）、および、ＮＰＵＳＣＨ（Ｎａｒｒｏｗ  Ｂａｎｄ  Ｐｈｙｓｉｃａｌ
Ｕｐｌｉｎｋ  Ｓｈａｒｅｄ  Ｃｈａｎｎｅｌ）のスケジューリングのために用いられる下りリンク制御情報を送信するために用いられる。下りリンク制御情報は、ＨＡＲＱ情報を含んでもよい。
【００３４】
下りリンク制御情報に付加されるＣＲＣ（Ｃｙｃｌｉｃ  Ｒｅｄｕｎｄａｎｃｙ  Ｃｈｅｃｋ）パリティビットは、Ｃ−ＲＮＴＩ（Ｃｅｌｌ―Ｒａｄｉｏ   Ｎｅｔｗｏｒｋ  
Ｔｅｍｐｏｒａｒｙ  Ｉｄｅｎｔｉｆｉｅｒ）、Ｔｅｍｐｏｒａｒｙ  Ｃ−ＲＮＴＩ、または、ＳＰＳ（Ｓｅｍｉ  Ｐｅｒｓｉｓｔｅｎｔ  Ｓｃｈｅｄｕｌｉｎｇ）Ｃ−ＲＮＴＩＣｅｌｌ―Ｒａｄｉｏ  Ｎｅｔｗｏｒｋ  Ｔｅｍｐｏｒａｒｙ  Ｉｄｅｎｔｉｆｉｅｒ）によってスクランブルされる。 Ｃ−ＲＮＴＩおよびＳＰＳ  Ｃ−ＲＮＴＩは、セル内に
おいて端末装置を識別するための識別子である。Ｔｅｍｐｏｒａｒｙ  Ｃ−ＲＮＴＩは、コンテンションベースランダムアクセス手順の間に用いられる。下りリンク制御情報にＲＮＴＩが付加されていることを、ＮＰＤＣＣＨにＲＮＴＩが含まれているとも称する。
【００３５】
Ｃ−ＲＮＴＩは、１つのサブフレームにおけるＮＰＤＳＣＨまたはＮＰＵＳＣＨを制御するために用いられる。ＳＰＳ  Ｃ−ＲＮＴＩは、ＮＰＤＳＣＨまたはＮＰＵＳＣＨのリソースを周期的に割り当てるために用いられる。Ｔｅｍｐｏｒａｒｙ  Ｃ−ＲＮＴＩは、
ランダムアクセスメッセージ３の再送信、および、ランダムアクセスメッセージ４の送信をスケジュールするために用いられる。
【００３６】
ＮＰＤＳＣＨは、下りリンクデータ（Ｄｏｗｎｌｉｎｋ  Ｓｈａｒｅｄ  Ｃｈａｎｎｅｌ：ＤＬ―ＳＣＨ）を送信するために用いられる。
【００３７】
図１において、基地局装置３から端末装置２への下りリンクの無線通信では、以下の下りリンク物理シグナルが用いられる。下りリンク物理シグナルは、上位層から出力された情報を送信するために使用されないが、物理層によって使用される。
・ＮＳＳ（Ｎａｒｒｏｗｂａｎｄ  Ｓｙｎｃｈｒｏｎｉｚａｔｉｏｎ  Ｓｉｇｎａｌ）
・ＮＤＬ−ＲＳ（Ｎａｒｒｏｗｂａｎｄ  Ｄｏｗｎｌｉｎｋ  Ｒｅｆｅｒｅｎｃｅ  Ｓｉｇｎａｌ）
【００３８】
ＮＳＳは、端末装置２がＮＢ−ＩｏＴセルの下りリンクにおいて周波数および時間の同期を得るために用いられる。ＮＳＳは、ＮＰＳＳ（Ｎａｒｒｏｗｂａｎｄ  Ｐｒｉｍａｒｙ  Ｓｙｎｃｈｒｏｎｉｚａｔｉｏｎ  Ｓｉｇｎａｌ）、および、ＮＳＳＳ（Ｎａｒｒｏｗｂａｎｄ  Ｓｅｃｏｎｄａｒｙ  Ｓｙｎｃｈｒｏｎｉｚａｔｉｏｎ  Ｓｉｇｎａｌ）を含む。ＮＳＳＳは、ＮＢ−ＩｏＴセルのＮＰＣＩ（Ｎａｒｒｏｗｂａｎｄ  Ｐｈｙｓｉｃａｌ  ｌａｙｅｒ  Ｃｅｌｌ Ｉｄｅｎｔｉｔｙ）に基づいて生成される。端末装置２は
、ＮＳＳからＮＢ−ＩｏＴセルのＮＰＣＩを取得してもよい。
【００３９】
ＮＤＬ−ＲＳは、端末装置２がＮＢ−ＩｏＴセルの下りリンク物理チャネルの伝搬路補正を行なうために用いられてもよい。ＮＤＬ−ＲＳは、端末装置２がＮＢ−ＩｏＴセルの下りリンクのチャネル状態情報を算出するために用いられてもよい。
【００４０】
また、インバンドのＮＢ−ＩｏＴである場合は、ＬＴＥのセル固有下りリンク参照信号（ＬＴＥ−Ｃｅｌｌ  ｓｐｅｃｉｆｉｃ  Ｒｅｆｅｒｅｎｃｅ  Ｓｉｇｎａｌ：ＬＴＥ−ＣＲＳ）が、ＮＢ−ＩｏＴセルの下りリンク物理チャネルの伝搬路補正を行なうために用いられてもよい。また、ＬＴＥ−ＣＲＳが、端末装置２がＮＢ−ＩｏＴセルの下りリンクのチャネル状態情報を算出するために用いられてもよい。
【００４１】
図１において、端末装置２から基地局装置３への上りリンクの無線通信では、以下の上りリンク物理チャネルが用いられる。上りリンク物理チャネルは、上位層から出力された情報を送信するために、物理層によって使用される。
・ＮＰＲＡＣＨ（Ｎａｒｒｏｗｂａｎｄ  Ｐｈｙｓｉｃａｌ  Ｒａｎｄｏｍ  Ａｃｃｅｓｓ  Ｃｈａｎｎｅｌ）
・ＮＰＵＳＣＨ（Ｎａｒｒｏｗｂａｎｄ  Ｐｈｙｓｉｃａｌ  Ｕｐｌｉｎｋ  Ｓｈａｒｅｄ  Ｃｈａｎｎｅｌ）
【００４２】
ＮＰＵＳＣＨは、上りリンクデータ（Ｕｐｌｉｎｋ  Ｓｈａｒｅｄ  Ｃｈａｎｎｅｌ：ＵＬ―ＳＣＨ）、および／または、上りリンク制御情報を送信するため に用いられても
よい。上りリンク制御情報は、ＮＰＤＳＣＨ（下りリンクデータ）に対応するＨＡＲＱ−ＡＣＫ（Ｈｙｂｒｉｄ  Ａｕｔｏｍａｔｉｃ  Ｒｅｐｅａｔ  ｒｅＱｕｅｓｔ  ＡＣＫｎｏｗｌｅｄｇｅｍｅｎｔ）を含む。本実施形態において、１回のＮＰＵＳＣＨの送信は、１つまたは複数のサブキャリアに対応する。例えば、１回のＮＰＵＳＣＨの送信のサブキャリア数は、１、３、６、１２の中から選択される。異なるＮＰＵＳＣＨの送信は、異なるサブキャリアに対応してもよい。異なるＮＰＵＳＣＨの送信は、異なるサブキャリア数に対応してもよい。
【００４３】
図１において、端末装置２から基地局装置３への上りリンクの無線通信では、以下の上
りリンク物理シグナルが用いられる。上りリンク物理シグナルは、上位層から出力された情報を送信するために使用されないが、物理層によって使用される。
・ＮＵＬ−ＲＳ（Ｎａｒｒｏｗｂａｎｄ  Ｄｏｗｎｌｉｎｋ  Ｒｅｆｅｒｅｎｃｅ  Ｓｉｇｎａｌ）
【００４４】
ＮＵＬ−ＲＳは、基地局装置３がＮＢ−ＩｏＴセルの上りリンク物理チャネルの伝搬路補正を行なうために用いられてもよい。ＮＵＬ−ＲＳは、端末装置２がＮＢ−ＩｏＴセルの上りリンクのチャネル状態情報を算出するために用いられてもよい。ＮＵＬ−ＲＳは、対応するＮＰＵＳＣＨと同じサブキャリアにマップされてもよい。ＮＵＬ−ＲＳは、ＮＰＵＳＣＨと時間多重されてもよい。ＮＵＬ−ＲＳをＤＭＲＳ（ＤｅＭｏｄｕｌａｔｉｏｎ
Ｒｅｆｅｒｅｎｃｅ  Ｓｉｇｎａｌ）、上り参照信号または参照信号とも称する。
【００４５】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００４６】
ＤＬ−ＳＣＨは、トランスポートチャネルである。媒体アクセス制御（Ｍｅｄｉｕｍ  Ａｃｃｅｓｓ  Ｃｏｎｔｒｏｌ：ＭＡＣ）層で用いられるチャネルをトランスポートチャネルと称する。ＭＡＣ層で用いられるトランスポートチャネルの単位を、トランスポートブロック（ｔｒａｎｓｐｏｒｔ  ｂｌｏｃｋ：ＴＢ）またはＭＡＣ  ＰＤＵ（Ｐｒｏｔｏｃｏｌ  Ｄａｔａ  Ｕｎｉｔ）とも称する。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に符号化処理が行なわれる。
【００４７】
基地局装置３と端末装置２は、上位層（ｈｉｇｈｅｒ  ｌａｙｅｒ）において信号をやり取り（送受信）する。例えば、基地局装置３と端末装置２は、無線リソース制御（ＲＲＣ：Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：Ｒａｄｉｏ  Ｒｅｓｏｕｒｃｅ  Ｃｏｎｔｒｏｌ  ｍｅｓｓａｇｅ、ＲＲＣ  ｉｎｆｏｒｍａｔｉｏｎ：Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置２は、媒体アクセス制御（ＭＡＣ：Ｍｅｄｉｕｍ  Ａｃｃｅｓｓ  Ｃｏｎｔ
ｒｏｌ）層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥを、上位層の信号（ｈｉｇｈｅｒ  ｌａｙｅｒ  ｓｉｇｎａｌｉｎｇ）とも称する。
【００４８】
ＮＰＤＳＣＨは、ＲＲＣシグナリング、および、ＭＡＣ  ＣＥを送信するために用いられる。ここで、基地局装置３からＮＰＤＳＣＨで送信されるＲＲＣシグナリングは、セル内における複数の端末装置２に対して共通のシグナリングであってもよい。基地局装置３からＮＰＤＳＣＨで送信されるＲＲＣシグナリングは、ある端末装置２に対して専用（固有）のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも称する）であってもよい。セルスペシフィックパラメータは、セル内における複数の端末装置２に対して共通のシグナリング、または、ある端末装置２に対して専用のシグナリングを用いて送信されてもよい。ＵＥスペシフィックパラメータは、ある端末装置２に対して専用のシグナリングを用いて送信されてもよい。
【００４９】
同じデータ（トランスポートブロック）に対応する物理チャネル（ＮＰＤＣＣＨ、ＮＰ
ＤＳＣＨ、および、ＮＰＵＳＣＨ）は、連続するサブフレームにおいて繰り返し送信されてもよい。物理チャネルの繰り返しレベル（Ｒｅｐｅｔｉｔｉｏｎ  Ｌｅｖｅｌ：ＲＬ）は、物理チャネル毎に制御されてもよい。繰り返しレベル１は、同じデータに対応する物理チャネルを繰り返し送信しないことを意味する。１よりも大きい繰り返しレベルは、同じデータに対応する物理チャネルを繰り返し送信することを意味する。すなわち、繰り返しレベルは、時間領域における物理チャネルの１つの送信インスタンス（ｉｎｓｔａｎｃｅ）／アテンプト（ａｔｔｅｍｐｔ）／バンドル（ｂｕｎｄｌｅ）の長さに関連する。
【００５０】
繰り返しレベルは、下りリンク制御情報、ＲＲＣシグナリング、ＭＡＣ  ＣＥ、および、範囲レベル（ｃｏｖｅｒａｇｅ  ｌｅｖｅｌ）の一部、または全部に少なくとも基づいてもよい。当該範囲レベルは、第１の範囲レベル、および、第２の範囲レベルを少なくとも含む。当該範囲レベルは、３つ、または、３より多い範囲レベルを含んでもよい。
【００５１】
範囲レベルは、繰り返しレベルに関連する。第１の範囲レベルが設定された端末装置２は、繰り返しレベルがＸ、または、Ｘより小さい物理チャネルを送信、または、受信してもよい。第１の範囲レベルが設定された端末装置２は、繰り返しレベルがＸより大きい物理チャネルを送信、または、受信しなくてもよい。第２の範囲レベルが設定された端末装置２は、繰り返しレベルがＸより大きい物理チャネルを送信、または、受信してもよい。例えば、Ｘは１、または、３でもよい。
【００５２】
端末装置２は、基地局装置３から受信した情報、および、基地局装置３から受信した信号（ＮＤＬ−ＲＳ）のＲＳＲＰ（Ｒｅｆｅｒｅｎｃｅ  Ｓｉｇｎａｌ  Ｒｅｃｅｉｖｅｄ
Ｐｏｗｅｒ）に基づいて、範囲レベル（ｃｏｖｅｒａｇｅ  ｌｅｖｅｌ）を設定してもよい。ここで、当該情報は、下りリンク制御情報、ＲＲＣシグナリング、または、ＭＡＣ
ＣＥでもよい。
【００５３】
本実施形態の無線ネットワークについて説明する。
【００５４】
基地局装置３によって制御される各周波数の通信可能範囲（通信エリア）はセルとしてみなされる。このとき、基地局装置３がカバーする通信エリアは周波数毎にそれぞれ異なる広さ、異なる形状であっても良い。また、カバーするエリアが周波数毎に異なっていてもよい。また、基地局装置３の種別やセル半径の大きさが異なるセルが、同一の周波数または異なる周波数のエリアに混在して１つの通信システムを形成している無線ネットワークのことを、ヘテロジニアスネットワークと称する。
【００５５】
端末装置２は、セルの中を通信エリアとみなして動作する。端末装置２が、あるセルから別のセルへ移動するときは、非無線接続時（アイドル状態、ＲＲＣ＿ＩＤＬＥ状態とも称する）はセル再選択手順、無線接続時（コネクティッド状態、ＲＲＣ＿ＣＯＮＮＥＣＴＥＤ状態とも称する）はハンドオーバ手順によって別の適切なセルへ移動する。適切なセルとは、一般的に端末装置２のアクセスが基地局装置３から指定される情報に基づいて禁止されていないと判断したセルであって、かつ、下りリンクの受信品質が所定の条件を満足するセルのことを示す。
【００５６】
基地局装置３は端末装置２が通信可能なエリアであるセルを周波数毎に管理する。１つの基地局装置３が複数のセルを管理していてもよい。
【００５７】
端末装置２がある基地局装置３と通信可能であるとき、その基地局装置３のセルのうち、端末装置２との通信に使用されるように設定されているセルは在圏セル（Ｓｅｒｖｉｎｇ  ｃｅｌｌ）であり、その他の通信に使用されないセルは周辺セル（Ｎｅｉｇｈｂｏｒｉｎｇ  ｃｅｌｌ）と称される。  
【００５８】
本実施形態の無線プロトコル構造について説明する。
【００５９】
図４は、ＥＵＴＲＡの無線ネットワーク（ＥＵＴＲＡＮ）の端末装置２及び基地局装置３のユーザデータを扱うユーザ平面（ＵＰ（Ｕｓｅｒ−ｐｌａｎｅ、Ｕ−Ｐｌａｎｅ））プロトコルスタックを表す図である。また、図５は、制御データを扱う制御平面（ＣＰ（Ｃｏｎｔｒｏｌ−ｐｌａｎｅ、Ｃ−Ｐｌａｎｅ））プロトコルスタックを表す図である。
【００６０】
図４および図５において、物理層（Ｐｈｙｓｉｃａｌ  ｌａｙｅｒ：ＰＨＹ層）は、物理チャネル（Ｐｈｙｓｉｃａｌ  Ｃｈａｎｎｅｌ）を利用して上位層に伝送サービスを提供する。ＰＨＹ層は、上位の媒体アクセス制御層（Ｍｅｄｉｕｍ  Ａｃｃｅｓｓ  Ｃｏｎｔｒｏｌ  ｌａｙｅｒ：ＭＡＣ層）とトランスポートチャネルで接続される。トランスポートチャネルを介して、ＭＡＣ層とＰＨＹ層とレイヤ（ｌａｙｅｒ：層）間でデータが移動する。端末装置２と基地局装置３のＰＨＹ層間において、物理チャネルを介してデータの送受信が行われる。
【００６１】
ＭＡＣ層は、多様な論理チャネルを多様なトランスポートチャネルにマッピングを行う。ＭＡＣ層は、上位の無線リンク制御層（Ｒａｄｉｏ  Ｌｉｎｋ  Ｃｏｎｔｒｏｌ  ｌａｙｅｒ：ＲＬＣ層）とは論理チャネルで接続される。論理チャネルは、伝送される情報の種類によって大きく分けられ、制御情報を伝送する制御チャネルとユーザ情報を伝送するトラフィックチャネルに分けられる。ＭＡＣ層は、間欠受送信（ＤＲＸ・ＤＴＸ）を行うためにＰＨＹ層の制御を行う機能、ランダムアクセス手順を実行する機能、送信電力の情報を通知する機能、ＨＡＲＱ制御を行う機能などを持つ。
【００６２】
ＲＬＣ層は、上位層から受信したデータを分割（Ｓｅｇｍｅｎｔａｔｉｏｎ）及び結合(Ｃｏｎｃａｔｅｎａｔｉｏｎ)し、下位層が適切にデータ送信できる ようにデータサイ
ズを調節する。また、ＲＬＣ層は、各データが要求するＱｏＳ（Ｑｕａｌｉｔｙ  ｏｆ  Ｓｅｒｖｉｃｅ）を保証するための機能も持つ。すなわち、ＲＬＣ層は、データの再送制御等の機能を持つ。
【００６３】
パケットデータコンバージェンスプロトコル層（Ｐａｃｋｅｔ  Ｄａｔａ  Ｃｏｎｖｅｒｇｅｎｃｅ  Ｐｒｏｔｏｃｏｌ  ｌａｙｅｒ：ＰＤＣＰ層）は、ユーザデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００６４】
さらに、制御平面プロトコルスタックには、無線リソース制御層（Ｒａｄｉｏ  Ｒｅｓｏｕｒｃｅ  Ｃｏｎｔｒｏｌ  ｌａｙｅｒ：ＲＲＣ層）がある。ＲＲＣ層は、無線ベアラ（Ｒａｄｉｏ  Ｂｅａｒｅｒ：ＲＢ）の設定・再設定を行い、論理チャネル、トランスポートチャネル及び物理チャネルの制御を行う。ＲＢは、シグナリグ無線ベアラ（Ｓｉｇｎａｌｉｎｇ  Ｒａｄｉｏ  Ｂｅａｒｅｒ：ＳＲＢ）とデータ無線ベアラ（Ｄａｔａ  Ｒａｄｉｏ  Ｂｅａｒｅｒ：ＤＲＢ）とに分けられ、ＳＲＢは、制御情報であるＲＲＣメッセージを送信する経路として利用される。ＤＲＢは、ユーザデータを送信する経路として利用される。基地局装置３と端末装置２のＲＲＣ層間で各ＲＢの設定が行われる。
【００６５】
尚、ＰＨＹ層は一般的に知られる開放型システム間相互接続（Ｏｐｅｎ  Ｓｙｓｔｅｍｓ  Ｉｎｔｅｒｃｏｎｎｅｃｔｉｏｎ：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６６】
また、ネットワークと端末装置２との間で用いられるシグナリングプロトコルは、アク
セス層（Ａｃｃｅｓｓ  Ｓｔｒａｔｕｍ：ＡＳ）プロトコルと非アクセス層（Ｎｏｎ−Ａｃｃｅｓｓ  Ｓｔｒａｔｕｍ：ＮＡＳ）プロトコルとに分割される。例えば、ＲＲＣ層以下のプロトコルは、端末装置２と基地局装置３との間で用いられるアクセス層プロトコルである。また、端末装置２の接続管理（Ｃｏｎｎｅｃｔｉｏｎ  Ｍａｎａｇｅｍｅｎｔ：ＣＭ）やモビリティ管理（Ｍｏｂｉｌｉｔｙ  Ｍａｎａｇｅｍｅｎｔ：ＭＭ）などのプロトコルは非アクセス層プロトコルであり、端末装置２とコアネットワーク（ＣＮ）との間で用いられる。例えば図５に示すように、端末装置２とモバイル管理エンティティ（Ｍｏｂｉｌｉｔｙ  Ｍａｎａｇｅｍｅｎｔ  Ｅｎｔｉｔｙ：ＭＭＥ）との間で、非アクセス層プロトコルを用いた通信が、基地局装置３を介して透過的に行われる。
【００６７】
本実施形態のアンカーＰＲＢ、非アンカーＰＲＢについて説明する。
【００６８】
ＮＢ−ＩｏＴセルが周波数方向に複数のＰＲＢ（またはＣｈａｎｎｅｌ、またはＣａｒｒｉｅｒ）を含み、複数のＰＲＢのうち、ＮＰＳＳ、ＮＳＳＳ、ＮＰＢＣＨ、およびその他のシステム情報が送信され、端末装置２がＲＲＣ接続を確立するために用いるＰＲＢをアンカーＰＲＢ（またはアンカーＣｈａｎｎｅｌ、アンカーＣａｒｒｉｅｒ）と称する。
【００６９】
また、ＮＰＳＳ、ＮＳＳＳ、ＮＰＢＣＨの一部あるいは全部が送信されないＰＲＢ（Ｃｈａｎｎｅｌ、Ｃａｒｒｉｅｒ）を非アンカーＰＲＢ（または、非アンカーＣｈａｎｎｅｌ、非アンカーＣａｒｒｉｅｒ）と称する。
【００７０】
アンカーＰＲＢでＲＲＣ接続を確立した端末装置２は、基地局装置３から通知されるＲＲＣ接続再設定メッセージ（例えばＮＢ−ＩｏＴのための物理設定メッセージ（ｐｈｙｓｉｃａｌＣｏｎｆｉｇＤｅｄｉｃａｔｅｄ―ＮＢ））やその他の通知に基づき、アンカーＰＲＢから非アンカーＰＲＢに移って通信を継続してもよい。例えば、端末装置２は、将来の送受信のために使うべきＰＲＢ（非アンカーＰＲＢ）の周波数（キャリア）を示す情報が通知された場合、ＭＡＣ層が一つのＲＲＣメッセージを運ぶ最後のトランスポートブロックの受信に対して応答（ａｃｋｎｏｗｌｅｄｇｅｍｅｎｔ）を送信した後に、速やかに指示された周波数を使い始めるようにしてもよい。
【００７１】
また、ＮＰＳＳ、ＮＳＳＳ、ＮＰＢＣＨ、およびその他のシステム情報が送信されるＰＲＢが複数ある場合、端末装置２は、ＲＲＣ接続を確立したＰＲＢがアンカーＰＲＢとして設定され、他のＮＰＳＳ、ＮＳＳＳ、ＮＰＢＣＨ、およびその他のシステム情報が送信されるＰＲＢが非アンカーＰＲＢとして設定されてもよい。
【００７２】
後述するランダムアクセス手順はアンカーＰＲＢでのみ実施されてもよい。この場合、非アンカーＰＲＢで通信中の端末装置２が、基地局装置３によるランダムアクセス手順を指示される（ＰＤＣＣＨ  ｏｒｄｅｒ）場合やその他ランダムアクセス手順を実施する条件が満たされる場合は、非アンカーＰＲＢからアンカーＰＲＢに戻り、ランダムアクセス手順を実行する。
【００７３】
本実施形態の無線リンク監視（ＲＬＭ：Ｒａｄｉｏ  Ｌｉｎｋ  Ｍｏｎｉｔｏｒｉｎｇ）について説明する。
【００７４】
ＲＲＣ接続した端末装置２が無線リンク障害（Ｒａｄｉｏ  Ｌｉｎｋ  Ｆａｉｌｕｒｅ）を検出する動作の一例について説明する。
【００７５】
端末装置２は、在圏する基地局装置３から、サービングセル（アンカーＰＲＢおよび／または非アンカーＰＲＢ）の物理層問題（Ｐｈｙｓｉｃａｌ  ｌａｙｅｒ  ｐｒｏｂｌｅｍｓ）の検出のためのタイマー（Ｔ３１０）の値（ｔ３１０）、同期外れ（ｏｕｔ-ｏｆ-
ｓｙｎｃ）の検出回数の閾値であるＮ３１０、同期内（ｉｎ-ｓｙｎｃ）の検出回数の閾
値であるＮ３１１などの情報を報知情報やユーザ個別へのＲＲＣメッセージによって取得する。また、前記タイマーの値や回数の閾値はデフォルトの値が設定されてもよい。また、前記タイマーは、アンカーＰＲＢと非アンカーＰＲＢとで共通であってもよいし、独立であってもよい。また、前記タイマーの値や回数の閾値は、アンカーＰＲＢと非アンカーＰＲＢとで共通の値が設定されてもよいし、独立した値が設定されてもよい。
【００７６】
無線リンク監視のために、端末装置２の物理層処理部は、受信した参照信号（ＮＤＬ−ＲＳおよび／またはＬＴＥ−ＣＲＳ）、および／または、ＮＳＳ（ＮＰＳＳおよび／またはＮＳＳＳ）の受信電力などの情報に基づき、サービングセルの無線リンク品質が特定の期間（例えばＴＥｖａｌｕａｔｅ＿Ｑｏｕｔ＝２００ｍｓ）を越えて特定の閾値（Ｑｏｕｔ）以下であると推定（ｅｓｔｉｍａｔｅ）されるときに、上位レイヤである無線リソース制御（Ｒａｄｉｏ  Ｒｅｓｏｕｒｃｅ  Ｃｏｎｔｒｏｌ：ＲＲＣ）層処理部に対して「同期外れ（ｏｕｔ−ｏｆ−ｓｙｎｃ）」を通知する。また、物理層処理部は、受信した参照信号の受信電力などの情報に基づき、サービングセルの無線リンク品質が特定の期間（例えばＴＥｖａｌｕａｔｅ＿Ｑｉｎ＝１００ｍｓ）を越えて特定の閾値（Ｑｉｎ）以上であると推定されるときに、上位レイヤである無線リソース制御層処理部に対して「同期内（ｉｎ−ｓｙｎｃ）」を通知する。なお、物理層処理部は、同期外れあるいは同期内の上位レイヤへの通知を特定の間隔（例えばＴＲｅｐｏｒｔ＿ｓｙｎｃ＝１０ｍｓ）以上あけて行うようにしてもよい。
【００７７】
また、端末装置２は、基地局装置３からＲＲＣメッセージやその他のシグナリングによって、非アンカーＰＲＢで送信されていると仮定してもよい信号に関する情報が通知されてもよい。例えば、ＮＰＳＳがアンカーＰＲＢでのみ送信される場合、ある端末装置２の非アンカーＰＲＢが、他の端末装置２のアンカーＰＲＢであるときは、非アンカーＰＲＢであってもＮＰＳＳを用いた受信電力の測定を行うことができる。あるいは、例えば、非アンカーＰＲＢにおけるＮＰＳＳおよび／またはＮＳＳＳの送信周期がアンカーＰＲＢでの送信周期のサブセットである場合、ある端末装置２の非アンカーＰＲＢが、他の端末装置２のアンカーＰＲＢであるときは、非アンカーＰＲＢであってもアンカーＰＲＢでのＮＰＳＳおよび／またはＮＳＳＳの送信周期に基づき受信電力の測定を行うことができる。このため、端末装置２が、基地局装置３から、以下の（Ａ）から（Ｆ）の一部あるいは全部の情報を取得できるようにしてもよい。
（Ａ）非アンカーＰＲＢでＬＴＥ−ＣＲＳが送信されるか否かを示す情報
（Ｂ）非アンカーＰＲＢでＮＰＳＳが送信されるか否かを示す情報
（Ｃ）非アンカーＰＲＢでＮＳＳＳが送信されるか否かを示す情報
（Ｄ）非アンカーＰＲＢで送信されるＮＰＳＳおよび／またはＮＳＳＳのリソース情報
（Ｅ）非アンカーＰＲＢでアンカーＰＲＢと同じ種類の信号（例えばＬＴＥ−ＣＲＳおよび／またはＮＰＳＳおよび／またはＮＳＳＳ）が送信されているか否かを示す情報
（Ｆ）非アンカーＰＲＢで送信されるＮＳＳおよび／またはＮＤＬ−ＲＳの送信電力がアンカーＰＲＢと同じであるか否かを示す情報
【００７８】
ここで、例えば、閾値Ｑｏｕｔは、下りリンクの無線リンクが確実（ｒｅｌｉａｂｌｙ）に受信できず、さらに、既定のパラメータに基づく仮定（ｈｙｐｏｔｈｅｔｉｃａｌ）の下りリンク制御チャネル（ＮＰＤＣＣＨ）の送信のブロック誤り率（Ｂｌｏｃｋ  ｅｒｒｏｒ  ｒａｔｅ）が１０％となるレベルとして定義されてもよい。また、例えば、閾値Ｑｉｎは、下りリンクの無線リンク品質が著しく（ｓｉｇｎｉｆｉｃａｎｔｌｙ）Ｑｏｕｔの状態よりも確実に受信でき、さらに、既定のパラメータに基づく仮定の下りリンク制御チャネルの送信のブロック誤り率が２％となるレベルとして定義されてもよい。また、閾値Ｑｏｕｔと閾値Ｑｉｎのレベルを定義する際に異なるＮＰＤＣＣＨのフォーマットが仮定されてもよい。  
【００７９】
より詳細には、閾値Ｑｏｕｔは、以下の（Ａ）から（Ｄ）の条件の一部あるいはすべてを考慮したＮＰＤＣＣＨのブロック誤り率が既定の割合となるレベルとして定義されてもよい。
（Ａ）ＮＰＤＣＣＨのＤＣＩ  ｆｏｒｍａｔを特定のフォーマットとする
（Ｂ）ＮＰＤＣＣＨの繰り返し（Ｒｅｐｅｔｉｔｉｏｎ）回数を特定の回数とする（例えばＲＲＣメッセージで通知されるＰＤＣＣＨの最大繰り返し回数（Ｒｍａｘ）とする）
（Ｃ）何れの参照信号を用いて復調するか（例えば、インバンドでＬＴＥのセル識別子とＮＢ−ＩｏＴのセル識別子が同じである場合や、インバンドでＬＴＥ−ＣＲＳとＮＤＬ−ＲＳが同じアンテナ数であり、ポート数が１または２の場合にＮＤＬ−ＲＳとＬＴＥ−ＣＲＳを用いてＮＰＤＣＣＨを復調する、あるいは、インバンドでない場合や、インバンドでＬＴＥのセル識別子とＮＢ−ＩｏＴのセル識別子が異なる場合や、インバンドでＬＴＥ−ＣＲＳとＮＤＬ−ＲＳが異なるアンテナ数である場合や、インバンドでＬＴＥ−ＣＲＳとＮＤＬ−ＲＳが同じアンテナ数であってもポート数が１または２でない場合にＮＤＬ−ＲＳのみを用いてＮＰＤＣＣＨを復調する、など）
（Ｄ）ＮＰＤＣＣＨと、参照信号（ＮＤＬ−ＲＳおよび／またはＬＴＥ−ＣＲＳ）との送信電力比（例えば、アンカーＰＲＢのＮＤＬ−ＲＳがブーストしているか否か、ＬＴＥ−ＣＲＳを利用する場合はＬＴＥ−ＣＲＳのアンテナポート数により設定する、など）
【００８０】
また、閾値Ｑｉｎは、以下の（Ａ）から（Ｄ）の条件の一部あるいはすべてを考慮したＮＰＤＣＣＨのブロック誤り率が既定の割合となるレベルとして定義されてもよい。
（Ａ）ＮＰＤＣＣＨのＤＣＩ  ｆｏｒｍａｔを特定のフォーマットとする
（Ｂ）ＮＰＤＣＣＨの繰り返し（Ｒｅｐｅｔｉｔｉｏｎ）回数を特定の回数とする（例えばＲＲＣメッセージで通知されるＰＤＣＣＨの最大繰り返し回数（Ｒｍａｘ）としてもよいし、Ｒｍａｘよりも小さい値としてもよい）
（Ｃ）何れの参照信号を用いて復調するか（例えば、ＮＤＬ−ＲＳのみを用いてＮＰＤＣＣＨを復調する、など）
（Ｄ）ＮＰＤＣＣＨと、参照信号（ＮＤＬ−ＲＳおよび／またはＬＴＥ−ＣＲＳ）との送信電力比（例えば、アンカーＰＲＢがブーストしておらず、および／または、ＬＴＥ−ＣＲＳを利用しない条件とする、など）
【００８１】
アンカーＰＲＢにおいてＮＳＳ（ＮＰＳＳおよび／またはＮＳＳＳ）が送信される。基地局装置３は、ノンアンカーＰＲＢにおいてＮＳＳ（ＮＰＳＳおよび／またはＮＳＳＳ）が送信される否かを示すための情報を、端末装置２に送信してもよい。アンカーＰＲＢにおける無線リンク監視のためにＮＳＳ（ＮＰＳＳおよび／またはＮＳＳＳ）が用いられてもよい。ノンアンカーＰＲＢにおいてＮＳＳ（ＮＰＳＳおよび／またはＮＳＳＳ）が送信される場合、ノンアンカーＰＲＢにおける無線リンク監視のためにＮＳＳ（ＮＰＳＳおよび／またはＮＳＳＳ）が用いられてもよい。
【００８２】
無線リンク監視のためにＮＳＳ（ＮＰＳＳおよび／またはＮＳＳＳ）が用いられる場合、基地局装置３は、（ｉ）参照信号（ＮＤＬ−ＲＳおよび／またはＬＴＥ−ＣＲＳ）と、ＮＳＳ（ＮＰＳＳおよび／またはＮＳＳＳ）の電力比、および/または、（ｉｉ）ＮＰＤ
ＣＣＨと、ＮＳＳ（ＮＰＳＳおよび／またはＮＳＳＳ）の電力比を示すための電力比情報を、端末装置２に送信してもよい。端末装置３は、当該電力比情報が受信されなかった場合、参照信号（ＮＤＬ−ＲＳおよび／またはＬＴＥ−ＣＲＳ）と、ＮＳＳ（ＮＰＳＳおよび／またはＮＳＳＳ）の電力は同じであるとみなしてもよい。端末装置３は、当該電力比情報が受信されなかった場合、ＮＰＤＣＣＨと、ＮＳＳ（ＮＰＳＳおよび／またはＮＳＳＳ）の電力は同じであるとみなしてもよい。当該電力は、１リソースエレメントあたりの電力であってもよい。
【００８３】
また、端末装置２の物理層処理部は、アンカーＰＲＢで発生した同期外れおよび同期内のみを上位レイヤに通知してもよいし、非アンカーＰＲＢで発生した同期外れおよび同期内のみを上位レイヤに通知してもよいし、受信しているセル（すなわち、アンカーＰＲＢか非アンカーＰＲＢの何れか受信している方）で発生した同期外れおよび同期内を上位レイヤに通知してもよい。受信しているセルで発生した同期外れおよび同期内を上位レイヤに通知する場合、同期外れおよび同期内がアンカーＰＲＢと非アンカーＰＲＢの何れのセルで発生したかを識別できる情報を上位レイヤに通知してもよい。
【００８４】
端末装置２の無線リソース制御層処理部は、物理層処理部から通知される同期外れを既定回数（Ｎ３１０回）連続して受け取った場合にタイマー（Ｔ３１０）の計時を開始（Start）あるいは再開始（Restart）してもよい。また、端末装置２の無線リソース層処理部は、既定回数（Ｎ３１１回）連続して同期内を受け取った場合にタイマー（Ｔ３１０）の計時を停止（Ｓｔｏｐ）してもよい。そして、端末装置２の無線リソース制御層処理部は、タイマー（Ｔ３１０）の計時が停止することなく満了（Expire）した場合に、アイドル状態への遷移あるいはＲＲＣ接続の再確立手順を実施するようにしてもよ い。例えば、
ＡＳ  Ｓｅｃｕｒｉｔｙの確立状態に応じて端末装置２の動作が異なってもよい。まず、ＡＳ  Ｓｅｃｕｒｉｔｙが未確立の場合、端末装置２はＲＲＣ  ＩＤＬＥ状態に遷移し、ＡＳ  Ｓｅｃｕｒｉｔｙが確立済みの場合、端末装置２は、ＲＲＣ接続の再確立（ＲＲＣ
Ｃｏｎｎｅｃｔｉｏｎ  Ｒｅ- ｅｓｔａｂｌｉｓｈｍｅｎｔ）手順を実行する。
【００８５】
上記は端末装置２にＤＲＸが設定されていない場合の例であるが、端末装置２にＤＲＸが設定されている場合、端末装置２の無線リソース制御層処理部は、無線リンク品質を測定する期間や上位レイヤへの通知間隔をＤＲＸが設定されていない場合と異なる値をとるように物理層処理部に対して設定してもよい。なお、ＤＲＸが設定されている場合であっても、上記タイマー（Ｔ３１０）の計時が行われているときには、同期内を推定するための無線リンク品質を測定する期間や上位レイヤへの通知間隔を、ＤＲＸが設定されていない場合の値としてもよい。
【００８６】
なお、タイマーの値（ｔ３１０）、閾値（Ｑｉｎ、Ｑｏｕｔ）、回数（Ｎ３１０、Ｎ３１１）、期間（ＴＥｖａｌｕａｔｅ＿Ｑｏｕｔ、ＴＥｖａｌｕａｔｅ＿Ｑｉｎ）、あるいは間隔（ＴＲｅｐｏｒｔ＿ｓｙｎｃ）の一部あるいはすべては、アンカーＰＲＢと非アンカーＰＲＢとで独立した値であってもよい。タイマーの値（ｔ３１０）、閾値（Ｑｉｎ、Ｑｏｕｔ）、回数（Ｎ３１０、Ｎ３１１）、期間（ＴＥｖａｌｕａｔｅ＿Ｑｏｕｔ、ＴＥｖａｌｕａｔｅ＿Ｑｉｎ）、あるいは間隔（ＴＲｅｐｏｒｔ＿ｓｙｎｃ）の一部あるいはすべては、システム情報として基地局装置３から報知されてもよいし、端末装置２に対してＲＲＣメッセージなどによって個別に設定されてもよいし、それらの組み合わせであってもよい。
【００８７】
本実施形態の無線リンク監視（ＲＬＭ：Ｒａｄｉｏ  Ｌｉｎｋ  Ｍｏｎｉｔｏｒｉｎｇ）について、より詳細に説明する。
【００８８】
まず、アンカーＰＲＢと非アンカーＰＲＢとで独立したタイマーを用いる例について図８から図１０を用いて説明する。ここでは、アンカーＰＲＢおよび非アンカーＰＲＢでＮ３１０＝２、Ｎ３１１＝２とする。図８から図１０において、横軸は時間を表す。
【００８９】
図８のＰ８０において、非アンカーＰＲＢ（ＰＲＢ−Ｎａ１）で受信している端末装置２が、Ｎ３１０同期外れを２回（Ｎ３１０＝２）連続（ｃｏｎｓｅｃｕｔｉｖｅ）で検出することに基づいてタイマーＴ３１０が開始される。その後、Ｐ８１において同期内を１回検出する。その後、基地局装置３からのランダムアクセス手順の実行指示やその他の理由により、端末装置２は、アンカーＰＲＢ（ＰＲＢ−Ａ）に移る。このとき、ＰＲＢ−Ｎ
ａ１におけるＴ３１０は一時中断（Ｓｕｓｐｅｎｄ）され、計時した時間、同期外れおよび同期内のカウント数は保持される。
【００９０】
アンカーＰＲＢ（ＰＲＢ−Ａ）におけるＰ８２において、同期外れや同期内は新たにカウントされ、もし同期外れを２回（Ｎ３１０＝２）連続で検出した場合は、非アンカーＰＲＢで一時中断したタイマーとは独立したタイマーが開始される。また、同期内を２回（Ｎ３１１＝２）連続で検出した場合はアンカーＰＲＢでのタイマーＴ３１０が停止される。
【００９１】
端末装置２は、Ｐ８３において非アンカーＰＲＢ（ＰＲＢ−Ｎａ１）に戻ると、一時中断していたタイマーＴ３１０を再開（Ｒｅｓｕｍｅ）する。この例では、Ｐ８１において同期内を１回検出した状態で一時中断しているため、Ｐ８４において非アンカーＰＲＢで再度同期内を検出することに基づいて２回（Ｎ３１１＝２）連続で同期内を検出したものとして非アンカーＰＲＢでのタイマーＴ３１０が停止される。
【００９２】
さらに、端末装置２が、アンカーＰＲＢ（ＰＲＢ−Ａ）に戻った場合、Ｐ８２において同期外れを１回検出した状態で一時中断しているため、Ｐ８５においてアンカーＰＲＢで再度同期外れを検出することに基づいて２回（Ｎ３１０＝２）連続で同期外れを検出したものとしてアンカーＰＲＢでのタイマーＴ３１０が開始される。
【００９３】
すなわち、Ｐ８１とＰ８４との間にアンカーＰＲＢ（ＰＲＢ−Ａ）における同期外れや同期内の検出があったとしても、Ｐ８１とＰ８４の検出が連続しているとみなす。
【００９４】
別の例として、図９のＰ９０において、非アンカーＰＲＢ（ＰＲＢ−Ｎａ１）で受信している端末装置２が、Ｎ３１０同期外れを２回（Ｎ３１０＝２）連続で検出することに基づいてタイマーＴ３１０が開始される。その後、Ｐ９１において同期内を１回検出する。その後、基地局装置３からのランダムアクセス手順の実行指示やその他の理由により、端末装置２は、アンカーＰＲＢ（ＰＲＢ−Ａ）に移る。このとき、ＰＲＢ−Ｎａ１におけるＴ３１０は一時中断（Ｓｕｓｐｅｎｄ）され、計時した時間は保持され、同期外れおよび同期内のカウント数はリセットされる。
【００９５】
アンカーＰＲＢ（ＰＲＢ−Ａ）におけるＰ９２において、同期外れや同期内は新たにカウントされ、もし同期外れを２回（Ｎ３１０＝２）連続で検出した場合は、非アンカーＰＲＢで一時中断したタイマーとは独立したタイマーが開始される。また、同期内を２回（Ｎ３１１＝２）連続で検出した場合はアンカーＰＲＢでのタイマーＴ３１０が停止される。
【００９６】
端末装置２は、Ｐ９３において非アンカーＰＲＢ（ＰＲＢ−Ｎａ１）に戻ると、一時中断していたタイマーＴ３１０が再開（Ｒｅｓｕｍｅ）される。この例では、Ｐ９１において同期内を１回検出した状態が一時中断によってリセットされているため、Ｐ９４において非アンカーＰＲＢで同期内を２回（Ｎ３１１＝２）連続で検出すると非アンカーＰＲＢでのタイマーＴ３１０が停止される。
【００９７】
さらに、端末装置２が、アンカーＰＲＢ（ＰＲＢ−Ａ）に戻った場合、アンカーＰＲＢにおける同期外れのカウントはリセットされているため、Ｐ９５においてアンカーＰＲＢで同期外れを検出すると１回目の同期外れの検出となる。
【００９８】
別の例として、図１０のＰ１００において、非アンカーＰＲＢ（ＰＲＢ−Ｎａ１）で受信している端末装置２が、同期外れを２回（Ｎ３１０＝２）連続で検出することに基づいてタイマーＴ３１０が開始される。その後、Ｐ１０１において同期内を１回検出する。そ
の後、基地局装置３からのランダムアクセス手順の実行指示やその他の理由により、端末装置２は、アンカーＰＲＢ（ＰＲＢ−Ａ）に移る。このとき、ＰＲＢ−Ｎａ１におけるＴ３１０は一時中断（Ｓｕｓｐｅｎｄ）され、計時した時間、同期外れおよび同期内のカウント数は保持される。
【００９９】
アンカーＰＲＢ（ＰＲＢ−Ａ）におけるＰ１０２において、同期外れや同期内は新たにカウントされ、もし同期外れを２回（Ｎ３１０＝２）連続で検出した場合は、非アンカーＰＲＢで一時中断したタイマーとは独立したタイマーが開始される。また、同期内を２回（Ｎ３１１＝２）連続で検出した場合はアンカーＰＲＢでのタイマーＴ３１０が停止される。
【０１００】
端末装置２が、Ｐ１０３において非アンカーＰＲＢ（ＰＲＢ−Ｎａ１）とは異なる非アンカーＰＲＢ（ＰＲＢ−Ｎａ２）に移ると、一時中断していたタイマーＴ３１０は停止され、同期外れおよび同期内のカウント数はリセットされる。すなわち、端末装置２は、アンカーＰＲＢに移る前の非アンカーＰＲＢ（ＰＲＢ−Ｎａ１）とは異なる非アンカーＰＲＢ（ＰＲＢ−Ｎａ２）に移った場合は、非アンカーＰＲＢのタイマーＴ３１０およびカウント数をリセットする。
【０１０１】
さらに、端末装置２が、アンカーＰＲＢ（ＰＲＢ−Ａ）に戻った場合、アンカーＰＲＢのタイマーおよびカウント数はリセットされていないため、Ｐ１０２において同期外れを１回検出した状態で一時中断しているため、Ｐ１０４においてアンカーＰＲＢで同期外れを検出すると２回（Ｎ３１０＝２）連続で同期外れを検出したものとして、アンカーＰＲＢでのタイマーＴ３１０が開始される。
【０１０２】
上記の例において、アンカーＰＲＢまたは非アンカーＰＲＢのタイマーＴ３１０が満了した場合は、アイドル状態への遷移あるいはＲＲＣ接続の再確立手順を実施するようにしてもよい。または、非アンカーＰＲＢのタイマーＴ３１０が満了した場合は、非アンカーＰＲＢ失敗としてアンカーＰＲＢで基地局装置３にＲＲＣメッセージによって報告し、アンカーＰＲＢのタイマーＴ３１０が満了した場合は、アイドル状態への遷移あるいはＲＲＣ接続の再確立手順を実施するようにしてもよい。また、アンカーＰＲＢに移る目的によって、何れの手順を実施するかを選択するようにしてもよい。例えば、移る目的として、端末装置２によるスケジューリングリクエストや基地局装置３からのランダムアクセス手順の実行指示などが挙げられる。
【０１０３】
また、アンカーＰＲＢと非アンカーＰＲＢの同期外れおよび同期内を識別するために、物理層処理部から、同期外れと同期内が、アンカーＰＲＢの状態であるのか非アンカーＰＲＢでの状態なのかを示す情報が上位レイヤに通知されてもよいし、上位レイヤ（例えば無線リソース制御層処理部）が、物理層処理部から通知される同期外れと同期内がアンカーＰＲＢの状態であるのか非アンカーＰＲＢでの状態なのかを判断するようにしてもよい。
【０１０４】
次に、アンカーＰＲＢと非アンカーＰＲＢとで１つのタイマーを用いる例について図１１から図１４を用いて説明する。ここでは、Ｎ３１０＝２、Ｎ３１１＝２とする。
【０１０５】
図１１において、非アンカーＰＲＢ（ＰＲＢ−Ｎａ１）で受信している端末装置２は、同期外れおよび同期内のカウントは行わない。あるいはカウントによるタイマーＴ３１０の開始をトリガしない。その後、基地局装置３からのランダムアクセス手順の実行指示やその他の理由により、端末装置２は、アンカーＰＲＢ（ＰＲＢ−Ａ）に移る。
【０１０６】
アンカーＰＲＢ（ＰＲＢ−Ａ）において、同期外れや同期内はカウントされ、もし同期
外れを２回（Ｎ３１０＝２）連続で検出した場合は、タイマーＴ３１０が開始される。また、同期内を２回（Ｎ３１１＝２）連続で検出した場合は、タイマーＴ３１０が停止される。
【０１０７】
端末装置２は、非アンカーＰＲＢ（ＰＲＢ−Ｎａ１）に戻ると、非アンカーＰＲＢ（ＰＲＢ−Ａ）での同期外れおよび同期内のカウントは行わない。あるいはカウントによるタイマーＴ３１０の開始をトリガしない。
【０１０８】
さらに、端末装置２が、アンカーＰＲＢ（ＰＲＢ−Ａ）に戻ると、Ｐ１１０において同期外れを１回検出した状態で一時中断しているため、Ｐ１１１においてアンカーＰＲＢで同期外れを検出すると２回（Ｎ３１０＝２）連続で同期外れを検出したものとしてアンカーＰＲＢでのタイマーＴ３１０が開始される。
【０１０９】
別の例として、図１２において、非アンカーＰＲＢ（ＰＲＢ−Ｎａ１）で受信している端末装置２は、同期外れおよび同期内のカウントは行わない。あるいはカウントによるタイマーＴ３１０の開始をトリガしない。その後、基地局装置３からのランダムアクセス手順の実行指示やその他の理由により、端末装置２は、アンカーＰＲＢ（ＰＲＢ−Ａ）に移る。
【０１１０】
アンカーＰＲＢ（ＰＲＢ−Ａ）において、同期外れや同期内はカウントされ、もし同期外れを２回（Ｎ３１０＝２）連続で検出した場合は、タイマーＴ３１０が開始される。また、同期内を２回（Ｎ３１１＝２）連続で検出した場合は、タイマーＴ３１０が停止される。
【０１１１】
端末装置２は、非アンカーＰＲＢ（ＰＲＢ−Ｎａ１）に戻ると、非アンカーＰＲＢ（ＰＲＢ−Ａ）での同期外れおよび同期内のカウントは行わない。あるいはカウントによるタイマーＴ３１０の開始をトリガしない。
【０１１２】
さらに、端末装置２が、アンカーＰＲＢ（ＰＲＢ−Ａ）に戻ると、タイマーＴ３１０および同期外れのカウントおよび同期内のカウントはリセットされているため、Ｐ１２０においてアンカーＰＲＢで再度同期外れを検出すると１回目の同期外れ検出となる。
【０１１３】
別の例として、図１３において、非アンカーＰＲＢ（ＰＲＢ−Ｎａ１）で受信している端末装置２が、Ｐ１３０において同期外れを２回（Ｎ３１０＝２）連続で検出することでタイマーＴ３１０が開始される。その後、同期内を１回検出する。その後、基地局装置３からのランダムアクセス手順の実行指示やその他の理由により、端末装置２は、アンカーＰＲＢ（ＰＲＢ−Ａ）に移る。このとき、タイマーＴ３１０の計時、同期外れおよび同期内のカウント数はリセットされる。
【０１１４】
アンカーＰＲＢ（ＰＲＢ−Ａ）において、新たに同期外れや同期内のカウントが行われ、もし同期外れを２回（Ｎ３１０＝２）連続で検出した場合は、タイマーＴ３１０が開始される。
【０１１５】
端末装置２が、アンカーＰＲＢから非アンカーＰＲＢ（ＰＲＢ−Ｎａ１）に戻ると、タイマーＴ３１０の計時、同期外れおよび同期内のカウント数はリセットされる。すなわち、端末装置２は、アンカーＰＲＢと非アンカーＰＲＢ間や非アンカーＰＲＢと非アンカーＰＲＢ間で移動する場合は、タイマーＴ３１０および同期外れおよび同期内のカウント数をリセットする。
【０１１６】
さらに、端末装置２が、アンカーＰＲＢ（ＰＲＢ−Ａ）に戻った場合、アンカーＰＲＢ
のタイマーおよびカウント数はリセットされているため、Ｐ１３１においてアンカーＰＲＢで再度同期外れを検出すると１回目の同期外れの検出となる。
【０１１７】
また、上記説明では、非アンカーＰＲＢ（ＰＲＢ−Ｎａ１）とアンカーＰＲＢ（ＰＲＢ−Ａ）との間を移動する場合に、タイマーやカウント数をリセットする例を示したが、これに限らず、異なるＰＲＢを跨いで連続した同期外れや同期内の検出がある場合でも、連続していないとみなすようにしてもよい。
【０１１８】
別の例として、図１４において、非アンカーＰＲＢ（ＰＲＢ−Ｎａ１）で受信している端末装置２が、Ｐ１４０において同期外れを２回（Ｎ３１０＝２）連続で検出することに基づいてタイマーＴ３１０が開始される。その後、同期内を１回検出する。その後、基地局装置３からのランダムアクセス手順の実行指示やその他の理由により、端末装置２は、アンカーＰＲＢ（ＰＲＢ−Ａ）に移る。このとき、タイマーＴ３１０の計時、同期外れおよび同期内のカウント数は保持される。
【０１１９】
アンカーＰＲＢ（ＰＲＢ−Ａ）において、タイマーＴ３１０の計時や、同期外れや同期内のカウントは継続される。そのため、Ｐ１４１において同期内を２回（Ｎ３１１＝２）連続で検出することに基づいてタイマーＴ３１０が停止される。
【０１２０】
端末装置２が、非アンカーＰＲＢ（ＰＲＢ−Ｎａ１）あるいはＰＲＢ−Ｎａ１とは異なる非アンカーＰＲＢ（ＰＲＢ−Ｎａ２）に移る場合も、タイマーＴ３１０の計時、同期外れおよび同期内のカウント数は保持され、移った先の非アンカーＰＲＢでタイマーＴ３１０の計時や、同期外れや同期内のカウントは継続される。
【０１２１】
上記の例において、必要であれば、アンカーＰＲＢと非アンカーＰＲＢの同期外れおよび同期内を識別するために、物理層処理部から、同期外れと同期内が、アンカーＰＲＢの状態であるのか非アンカーＰＲＢでの状態なのかを示す情報が上位レイヤに通知されてもよいし、上位レイヤ（例えば無線リソース制御層処理部）が、物理層処理部から通知される同期外れと同期内がアンカーＰＲＢの状態であるのか非アンカーＰＲＢでの状態なのかを判断するようにしてもよい。
【０１２２】
また、端末装置２は条件に基づいて、タイマーＴ３１０の計時の開始（Ｓｔａｒｔ、Ｒｅｓｔａｒｔ）と再開（Ｒｅｓｕｍｅ）とを切り替えてもよい。また、端末装置２は条件に基づいて、タイマーＴ３１０の計時の停止（Ｓｔｏｐ）と一時停止（Ｓｕｓｐｅｎｄ）とを切り替えてもよい。また、端末装置２は条件に基づいて、Ｎ３１０および／またはＮ３１１のカウント数のリセット（Ｒｅｓｅｔ）と保持（Ｋｅｅｐ）とを切り替えてもよい。前記条件とは、例えば、以下の（Ａ）から（Ｅ）の一部あるいは全部であってもよい。（Ａ）データ無線ベアラ（Ｄａｔａ  Ｒａｄｉｏ  Ｂｅａｒｅｒ：ＤＲＢ）および／またはＳ１−Ｕベアラの確立が行われるモードであるか否か（上りリンクのデータがＮＡＳ層のメッセージと抱き合わせ（ｐｉｇｇｙｂａｃｋｓ）で送信されるモードであるか否か）（Ｂ）基地局装置３から報知される前記切り替えに関する設定
（Ｃ）基地局装置３から端末装置２に個別に通知される前記切り替えに関する設定
（Ｄ）移動局装置２によるスケジューリングリクエストのためにアンカーＰＲＢへ移る場合であるか否か
（Ｅ）基地局装置３に指示されたランダムアクセス手順の実施のためにアンカーＰＲＢへ移る場合であるか否か
【０１２３】
また、前記図１０、図１１の説明で、非アンカーＰＲＢでは同期外れと同期内をカウントしない例を示したが、逆に非アンカーＰＲＢでは同期外れと同期内をカウントし、アンカーＰＲＢでは同期外れと同期内をカウントしないようにしてもよい。また、特定の条件
でアンカーＰＲＢに移動したときのみアンカーＰＲＢでの同期外れと同期内をカウントしないようにしてもよい。特定の条件とは、例えば、以下の（Ａ）から（Ｃ）の一部あるいは全部であってもよい。
（Ａ）データ無線ベアラ（Ｄａｔａ  Ｒａｄｉｏ  Ｂｅａｒｅｒ：ＤＲＢ）および／またはＳ１−Ｕベアラの確立が行われるモードであるか否か（上りリンクのデータがＮＡＳ層のメッセージと抱き合わせ（ｐｉｇｇｙｂａｃｋｓ）で送信されるモードであるか否か）（Ｂ）移動局装置２によるスケジューリングリクエストのためにアンカーＰＲＢへ移る場合であるか否か
（Ｃ）基地局装置３に指示されたランダムアクセス手順の実施のためにアンカーＰＲＢへ移る場合であるか否か
【０１２４】
また、前記同期外れと同期内をカウントしない動作を実現するために、無線送受信部２０から無線リソース制御層処理部２６に同期外れと同期内が通知され、無線リソース制御層処理部２６でカウントしないようにしてもよいし、無線送受信部２０から無線リソース制御層処理部２６に同期外れと同期内が通知されないようにしてもよいし、無線送受信部２０が同期外れと同期内の測定を行わないようにしてもよい。
【０１２５】
本実施形態のＲＲＣ接続再確立について説明する。
【０１２６】
端末装置２は、例えば、基地局装置３から通知されたＲＲＣ接続再設定メッセージに含まれる一部あるいはすべての設定に従えない場合であり、かつＡＳ層のセキュリティが活性状態（Ａｃｔｉｖａｔｅｄ）である場合や、無線リンクが失敗した場合（（１）物理層における問題を検出したときに計時が開始されるタイマーＴ３１０が満了した場合、（２）測定時に設定され、タイマーＴ３１０計時中に測定報告がトリガされたときに計時が開始されるタイマーＴ３１２が満了した場合、（３）ＲＲＣ接続要求メッセージ送信時に計時が開始されるタイマーＴ３００およびＲＲＣ接続再確立要求メッセージ送信時に計時が開始されるタイマーＴ３０１およびモビリティ制御情報を含むＲＲＣ接続再設定メッセージを受信したときに計時を開始するタイマーＴ３０４およびＲＲＣ接続再確立手順をはじめる際に計時を開始するタイマーＴ３１１の何れも計時中でないときにＭＡＣ層からランダムアクセス問題が示された場合、（４）ＲＬＣ層から再送回数の最大数に達していることが通知された場合、（５）接続維持型ハンドオーバにおいてターゲットセルへのハンドオーバが失敗した場合において、ソースセルの無線リンクが失敗した場合、など）であり、かつＡＳ層のセキュリティが活性状態（Ａｃｔｉｖａｔｅｄ）である場合や、ハンドオーバが失敗した場合などに、コネクティッド状態（無線リソース制御接続）を維持するために、ＲＲＣ接続再確立手順を実行する。
【０１２７】
ＲＲＣ接続再確立は、接続を試みたセル（の基地局装置３）が準備できている（有効な端末装置２のコンテキストを持っている）場合にのみ成功する。ただし、端末装置２のコンテキストを持っていない基地局装置３が、当該端末装置２のコンテキストを持っている基地局装置３から有効なコンテキストを取得することでＲＲＣ接続再確立を成功させることも可能となる。
【０１２８】
ＲＲＣ接続再確立手順として、端末装置２は、まず、タイマーＴ３１０やタイマーＴ３１２が計時中であればそれぞれの計時を停止し、タイマーＴ３１１の計時を開始する。次に、ＳＲＢ０以外の無線ベアラを一時中断（Ｓｕｓｐｅｎｄ）する。次にＭＡＣ層をリセットし、ＭＡＣ層や物理層に標準（Ｄｅｆａｕｌｔ）の設定を適用してセル選択手順を開始する。
【０１２９】
ＲＲＣ接続再確立手順により最適なセルが選択されると、端末装置２は、タイマーＴ３１１を停止し、タイマーＴ３０１の計時を開始し、選択されたセルにおいて、基地局装置
３に接続再確立要求メッセージを送信する。接続再確立要求メッセージにはＲＲＣ接続再確立の理由（再設定失敗やハンドオーバ失敗やその他の失敗など）を示す情報が含まれる。
【０１３０】
例えば、接続再確立要求メッセージには下記（Ａ）から（Ｂ）の一部あるいは全部が含まれてもよい。
（Ａ）失敗に先立って端末装置２が接続していたアンカーＰＲＢおよび／または非アンカーＰＲＢの周波数情報
（Ｂ）失敗に先立って端末装置２が接続していたアンカーＰＲＢおよび／または非アンカーＰＲＢのうち、無線リンクが失敗したほうのＰＲＢの周波数情報
【０１３１】
ＲＲＣ接続再確立要求メッセージを送信した端末装置２は、基地局装置３からＲＲＣ接続再確立メッセージを受信すると、タイマーＴ３０１の計時を停止し、ＳＲＢ１のＰＤＣＰとＲＬＣを再確立する。さらに無線リソースの設定を行い、一時中断していたＳＲＢ１を再開（Ｒｅｓｕｍｅ）する。そして、ＲＲＣ接続再確立をおこなう前の設定を用いて秘匿化（Ｉｎｔｅｇｒｉｔｙ）と暗号化（Ｃｉｐｈｅｒｉｎｇ）を行い、正常に処理が完了した場合にはＲＲＣ再確立完了メッセージを基地局装置３に通知する。
【０１３２】
ＲＲＣ接続再確立手順により最適なセルが選択されなかった場合、タイマーＴ３１１が満了し、ＲＲＣ接続失敗となり、端末装置２はコネクティッド状態からアイドル状態へ遷移する。また、タイマーＴ３０１が満了するか、選択された最適なセルがセル選択基準を満たさないなどの理由で最適なセルでなくなった場合にもＲＲＣ接続失敗となり、端末装置２はコネクティッド状態からアイドル状態へ遷移する。
【０１３３】
なお、端末装置２は、非アンカーＰＲＢで無線リンクの失敗を検出した場合（あるいは非アンカーＰＲＢにおける無線リンクの失敗とみなされる状態を検出した場合）は、ＲＲＣ接続再確立を行うのではなく、非アンカーＰＲＢでの失敗（ＰＲＢ  Ｆａｉｌｕｒｅ）をアンカーＰＲＢで通知するようにしてもよい。非アンカーＰＲＢでの失敗を通知するメッセージには非アンカーＰＲＢの周波数情報を含めてもよい。
【０１３４】
また、上記説明では、ＲＲＣ接続再確立手順について説明したが、ＮＢ−ＩｏＴでは、端末装置２および基地局装置３でＲＲＣ接続時の設定を保持した状態でＲＲＣ接続を一時中断（Ｓｕｓｐｅｎｄ）し、ネットワークからの呼び出し（Ｐａｇｉｎｇの受信）や端末装置２からのデータ送信要求をトリガとしてＲＲＣ接続を再開（Ｒｅｓｕｍｅ）する仕組みが検討されている。このＲＲＣ接続を再開を要求するメッセージ（ＲＲＣ  Ｃｏｎｎｅｃｔｉｏｎ  Ｒｅｓｕｍｅ  Ｒｅｑｕｅｓｔメッセージ）に 非アンカーＰＲＢの周波数
情報を含めてもよい。
【０１３５】
本実施形態のランダムアクセス手順について以下に説明する。
【０１３６】
ランダムアクセス手順には、競合ベースランダムアクセス手順（Ｃｏｎｔｅｎｔｉｏｎ
ｂａｓｅｄ  Ｒａｎｄｏｍ  Ａｃｃｅｓｓ  ｐｒｏｃｅｄｕｒｅ）と非競合ベースランダムアクセス手順（Ｎｏｎーｃｏｎｔｅｎｔｉｏｎ  ｂａｓｅｄ  Ｒａｎｄｏｍ  Ａｃｃｅｓｓ  ｐｒｏｃｅｄｕｒｅ）の２つのアクセス手順がある。
【０１３７】
競合ベースランダムアクセス手順は、端末装置２間で衝突する可能性のあるランダムアクセス手順であり、基地局装置３と接続（通信）していない状態からの初期アクセス時や基地局装置３と接続中であるが、上りリンク同期が外れている状態で端末装置２に上りリンクデータ送信が発生した場合のスケジューリングリクエストなどに行われる。
【０１３８】
非競合ベースランダムアクセス手順は、端末装置２間で衝突が発生しないランダムアクセス手順であり、基地局装置３と端末装置２が接続中であるが、上りリンクの同期が外れている場合に迅速に端末装置２と基地局装置３との間の上りリンク同期をとるためにハンドオーバや端末装置２の送信タイミングが有効でない場合等の特別な場合に基地局装置３から指示されて端末装置２がランダムアクセス手順を開始する。非競合ベースランダムアクセス手順は、ＲＲＣ（Ｒａｄｉｏ  Ｒｅｓｏｕｒｃｅ  Ｃｏｎｔｒｏｌ：Ｌａｙｅｒ３）層のメッセージ及び物理下りリンク制御チャネルの制御データにより指示される。
【０１３９】
図６を用いて競合ベースランダムアクセス手順を簡単に説明する。まず、端末装置２はランダムアクセスプリアンブルを基地局装置３に送信する（メッセージ１：（１）、ステップＳ６１）。そして、ランダムアクセスプリアンブルを受信した基地局装置３が、ランダムアクセスプリアンブルに対する応答（ランダムアクセスレスポンス）を端末装置２に送信する（メッセージ２：（２）、ステップＳ６２）。端末装置２がランダムアクセスレスポンスに含まれているスケジューリング情報を元に上位レイヤ（Ｌａｙｅｒ２／Ｌａｙｅｒ３）のメッセージを送信する（メッセージ３：（３）、ステップＳ６３）。基地局装置３は、（３）の上位レイヤメッセージを受信できた端末装置２に衝突確認メッセージを送信する（メッセージ４：（４）、ステップＳ６４）。なお、競合ベースランダムアクセスをランダムプリアンブル送信とも称する。
【０１４０】
次に、図７を用いて非競合ベースランダムアクセス手順を簡単に説明する。まず、基地局装置３は、プリアンブル番号（または、シーケンス番号）と使用するランダムアクセスチャネル番号を端末装置２に通知する（メッセージ０：（１）’、ステップＳ７１）。端末装置２は、指定されたプリアンブル番号のランダムアクセスプリアンブルを指定されたランダムアクセスチャネルＲＡＣＨに送信する（メッセージ１：（２）’、ステップＳ７２）。そして、ランダムアクセスプ リアンブルを受信した基地局装置３が、ランダムア
クセスプリアンブルに対する応答（ランダムアクセスレスポンス）を端末装置２に送信する（メッセージ２：（３）’、ステップＳ７３）。ただし、通知されたプリアンブル番号の値が０の場合は、競合ベースランダムアクセス手順を行なう。なお、非競合ベースランダムアクセス手順を専用プリアンブル送信とも称する。
【０１４１】
なお、上述したランダムアクセス手順において、端末装置２が非アンカーＰＲＢで通信中であった場合にはアンカーＰＲＢに移ってからメッセージ１の送信を行なってもよい。
【０１４２】
以下、本発明の実施形態における装置の構成について説明する。
【０１４３】
図２は、本実施形態の端末装置２の構成を示す概略ブロック図である。図示するように、端末装置２は、無線送受信部２０、および、上位層処理部２４を含んで構成される。無線送受信部２０は、アンテナ部２１、ＲＦ（Ｒａｄｉｏ  Ｆｒｅｑｕｅｎｃｙ）部２２、および、ベースバンド部２３を含んで構成される。上位層処理部２４は、媒体アクセス制御層処理部２５、および、無線リソース制御層処理部２６を含んで構成される。無線送受信部２０を送信部、受信部、または、物理層処理部とも称する。
【０１４４】
上位層処理部２４は、ユーザの操作等により生成された上りリンクデータ（トランスポートブロック）を、無線送受信部２０に出力する。上位層処理部２４は、媒体アクセス制御（ＭＡＣ：Ｍｅｄｉｕｍ  Ａｃｃｅｓｓ  Ｃｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ  Ｃｏｎｔｒｏｌ：ＲＲＣ）層の処理を行なう。
【０１４５】
上位層処理部２４が備える媒体アクセス制御層処理部２５は、媒体アクセス制御層の処理を行う。媒体アクセス制御層処理部２５は、無線リソース制御層処理部２６によって管理されている各種設定情報／パラメータに基づいて、スケジューリングリクエストの伝送の制御を行う。
【０１４６】
上位層処理部２４が備える無線リソース制御層処理部２６は、無線リソース制御層の処理を行う。無線リソース制御層処理部２６は、自装置の各種設定情報／パラメータの管理をする。無線リソース制御層処理部２６は、基地局装置３から受信した上位層の信号に基づいて各種設定情報／パラメータをセットする。すなわち、無線リソース制御層処理部２６は、基地局装置３から受信した各種設定情報／パラメータを示す情報に基づいて各種設定情報／パラメータをセットする。
【０１４７】
無線送受信部２０は、変調、復調、符号化、復号化などの物理層の処理を行う。無線送受信部２０は、基地局装置３から受信した信号を、分離、復調、復号し、復号した情報を上位層処理部２４に出力する。無線送受信部２０は、データを変調、符号化することによって送信信号を生成し、基地局装置３に送信する。
【０１４８】
ＲＦ部２２は、アンテナ部２１を介して受信した信号を、直交復調によりベースバンド信号に変換し（ダウンコンバート: ｄｏｗｎ  ｃｏｖｅｒｔ）、不要な周波数成分を除去する。ＲＦ部２２は、処理をしたアナログ信号をベースバンド部に出力する。
【０１４９】
ベースバンド部２３は、ＲＦ部２２から入力されたアナログ信号を、アナログ信号をデジタル信号に変換する。ベースバンド部２３は、変換したデジタル信号からＣＰ（CyclicPrefix）に相当する部分を除去し、ＣＰを除去した信号に対して高速フーリエ変換（Ｆ
ａｓｔ  Ｆｏｕｒｉｅｒ  Ｔｒａｎｓｆｏｒｍ：ＦＦＴ）を行い、周波数領域の信号を抽出する。
【０１５０】
ベースバンド部２３は、データを逆高速フーリエ変換（Ｉｎｖｅｒｓｅ  Ｆａｓｔ  Ｆｏｕｒｉｅｒ  Ｔｒａｎｓｆｏｒｍ：ＩＦＦＴ）して、ＳＣ−ＦＤＭＡシンボルを生成し、生成されたＳＣ−ＦＤＭＡシンボルにＣＰを付加し、ベースバンドのデジタル信号を生成し、ベースバンドのデジタル信号をアナログ信号に変換する。ベースバンド部２３は、変換したアナログ信号をＲＦ部２２に出力する。
【０１５１】
ＲＦ部２２は、ローパスフィルタを用いてベースバンド部２３から入力されたアナログ信号から余分な周波数成分を除去し、アナログ信号を搬送波周波数にアップコンバート（ｕｐ  ｃｏｎｖｅｒｔ）し、アンテナ部２１を介して送信する。また、ＲＦ部２２は、電力を増幅する。また、ＲＦ部２２は送信電力を制御する機能を備えてもよい。ＲＦ部２２を送信電力制御部とも称する。
【０１５２】
なお、端末装置２は、キャリアアグリゲーションによる複数の周波数（周波数帯、周波数帯域幅）またはセルの同一サブフレーム内での送受信処理をサポートするために各部の一部あるいはすべてを複数備える構成であってもよい。
【０１５３】
図３は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１５４】
上位層処理部３４は、媒体アクセス制御（ＭＡＣ： Ｍｅｄｉｕｍ  Ａｃｃｅｓｓ  Ｃ
ｏｎｔｒｏｌ）層、パケットデータ統合プロトコル（Ｐａｃｋｅｔ  Ｄａｔａ  Ｃｏｎｖｅｒｇｅｎｃｅ  Ｐｒｏｔｏｃｏｌ：ＰＤＣＰ）層、無線リンク制御（Ｒａｄｉｏ  Ｌｉｎｋ  Ｃｏｎｔｒｏｌ：ＲＬＣ）層、無線リソース制御（Ｒａｄｉｏ  Ｒｅｓｏｕｒｃｅ
Ｃｏｎｔｒｏｌ：ＲＲＣ）層の処理を行なう。
【０１５５】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１５６】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Ｃｏｎｔｒｏｌ  Ｅｌｅｍｅｎｔ）などを生成し、又は上位ノードから取得し、無線送受信部３０に出力する。また、無線リソース制御層処理部３６は、端末装置２各々の各種設定情報／パラメータの管理をする。無線リソース制御層処理部３６は、上位層の信号を介して端末装置２各々に対して各種設定情報／パラメータをセットしてもよい。すなわち、無線リソース制御層処理部３６は、各種設定情報／パラメータを示す情報を送信／報知する。
【０１５７】
無線送受信部３０の機能は、無線送受信部２０と同様であるため説明を省略する。
【０１５８】
また、上位層処理部３４は、基地局装置３間あるいは上位のネットワーク装置（ＭＭＥ、Ｓ−ＧＷ（Ｓｅｒｖｉｎｇ−ＧＷ））と基地局装置３との間の制御メッセージ、またはユーザデータの送信（転送）または受信を行なう。図３において、その他の基地局装置３の構成要素や、構成要素間のデータ（制御情報）の伝送経路については省略してあるが、基地局装置３として動作するために必要なその他の機能を有する複数のブロックを構成要素として持つことは明らかである。例えば、無線リソース制御層処理部３６の上位には、無線リソース管理（Ｒａｄｉｏ  Ｒｅｓｏｕｒｃｅ  Ｍａｎａｇｅｍｅｎｔ）層処理部や、アプリケーション層処理部が存在している。
【０１５９】
なお、図中の「部」とは、セクション、回路、構成装置、デバイス、ユニットなど用語によっても表現される、端末装置２および基地局装置３の機能および各手順を実現する要素である。
【０１６０】
端末装置２が備える符号１０から符号１６が付された部のそれぞれは、回路として構成されてもよい。基地局装置３が備える符号３０から符号３６が付された部のそれぞれは、回路として構成されてもよい。
【０１６１】
以下、本発明の実施形態における、端末装置２および基地局装置３の種々の態様について説明する。
【０１６２】
本発明は、基地局装置との通信状況を効率的に監視することができる端末装置、該端末装置と通信する基地局装置、該端末装置に用いられる通信方法、該基地局装置に用いられる通信方法、該端末装置に実装される集積回路、該基地局装置に実装される集積回路を提供する。
【０１６３】
（１）本発明の第１の態様は、基地局装置とセルを介して通信する端末装置であって、セルにおいて、第１の周波数と、第１の周波数とは異なる第２の周波数とを切り替えて基
地局装置と通信し、セルにおける無線リンク監視のためのタイマーは、第１の周波数と第２の周波数とで共通であり、タイマーは、連続して所定の回数、同期外れ（ｏｕｔ-ｏｆ-ｓｙｎｃ）を検出することに基づいて開始され、タイマーは、第１の 周波数と第２の周
波数とを切り替える場合、停止され、第１の周波数、および、第２の周波数の何れか一方は、端末装置が無線リソース制御（ＲＲＣ）接続を確立した周波数である。
【０１６４】
（２）本発明の第１の態様において、第１の同期外れが第１の周波数において検出され、第２の同期外れが第２の周波数において検出される場合、第１の同期外れ、および、第２の同期外れが連続していたとしても、第１の同期外れ、および、第２の同期外れを連続していないとみなす。
【０１６５】
（３）本発明の第１の態様において、タイマーは、連続して所定の回数、同期内（ｉｎ-ｓｙｎｃ）を検出することに基づいて停止され、第１の同期内が第１の周波数において
検出され、第２の同期内が第２の周波数において検出される場合、第１の同期内、および、第２の同期内が連続していたとしても、第１の同期内、および、第２の同期内を連続していないとみなす。
【０１６６】
（４）本発明の第１の態様において、第１の周波数において検出される第１の同期外れ、および、第２の周波数において検出される第２の同期外れを連続しているとみなす。
【０１６７】
（５）本発明の第１の態様において、タイマーは、連続して所定の回数、同期内（ｉｎ-ｓｙｎｃ）を検出することに基づいて停止され、第１の周波数において検出される第１
の同期内、および、第２の周波数において検出される第２の同期内を連続しているとみなす。
【０１６８】
（６）本発明の第２の態様は、基地局装置とセルを介して通信する端末装置であって、セルにおいて、第３の周波数と、第３の周波数とは異なる第４の周波数とを切り替えて前記基地局装置と通信し、セルにおける無線リンク監視において、同期外れ（ｏｕｔ-ｏｆ-ｓｙｎｃ）の検出を第３の周波数と第４の周波数の 何れかでのみ行い、第３の周波数、
および、第４の周波数の何れか一方は、端末装置が無線リソース制御（ＲＲＣ）接続を確立した周波数である。
【０１６９】
（７）本発明の第２の態様において、セルにおける無線リンク監視のためのタイマーは、連続して所定の回数、第３の周波数において同期外れを検出することに基づいて開始され、タイマーは、第３の周波数から第４の周波数に切り替わる場合、停止される。
【０１７０】
（８）本発明の第２の態様において、セルにおける無線リンク監視のためのタイマーは、連続して所定の回数、第３の周波数において同期外れを検出することに基づいて開始され、タイマーは、第３の周波数から第４の周波数に切り替わる場合に、同期外れの検出を一時停止（ｓｕｓｐｅｎｄ）し、尚且つ、第３の周波数から第４の周波数に切り替わる場合、同期外れの検出を一時停止し、第４の周波数から第３の周波数に戻る場合、同期外れの検出を再開（ｒｅｓｕｍｅ）する。
【０１７１】
（９）本発明の第２の態様において、一時停止の直前に検出した前記同期外れ、および、再開の直後に検出した同期外れを、連続しているとみなす。
【０１７２】
（１０）本発明の第３の態様は、基地局装置とセルを介して通信する端末装置に適用される通信方法であって、セルにおいて、第１の周波数と、第１の周波数とは異なる第２の周波数とを切り替えて基地局装置と通信するステップを少なくとも含み、セルにおける無線リンク監視のためのタイマーは、第１の周波数と第２の周波数とで共通であり、タイマ
ーは、連続して所定の回数、同期外れ（ｏｕｔ-ｏｆ-ｓｙｎｃ）を検出することに基づいて開始され、タイマーは、第１の周波数と前記第２の周波数とを切り替える場合、停止され、第１の周波数、および、第２の周波数の何れか一方は、端末装置が無線リソース制御（ＲＲＣ）接続を確立した周波数である。
【０１７３】
（１１）本発明の第４の態様は、基地局装置とセルを介して通信する端末装置に実装される集積回路であって、セルにおいて、端末装置が無線リソース制御（ＲＲＣ）接続を確立する第１の周波数と、第１の周波数とは異なる第２の周波数とを切り替えて前記基地局装置と通信する機能を端末装置に対して発揮させ、セルにおける無線リンク監視のためのタイマーは、第１の周波数と第２の周波数とで共通であり、タイマーは、連続して所定の回数、同期外れ（ｏｕｔ-ｏｆ- ｓｙｎｃ）を検出することに基づいて開始され、タイマ
ーは、第１の周波数と第２の周波数とを切り替える場合、停止され、第１の周波数、および、第２の周波数の何れか一方は、端末装置が無線リソース制御（ＲＲＣ）接続を確立した周波数である。
【０１７４】
（１２）本発明の第５の態様は、基地局装置とセルを介して通信する端末装置に適用される通信方法であって、セルにおいて、第３の周波数と、第３の周波数とは異なる第４の周波数とを切り替えて基地局装置と通信するステップを少なくとも含み、
セルにおける無線リンク監視において、同期外れ（ｏｕｔ-ｏｆ-ｓｙｎｃ）の検出を第３の周波数と前記第４の周波数の何れかでのみ行い、第３の周波数、および、第４の周波数の何れか一方は、端末装置が無線リソース制御（ＲＲＣ）接続を確立した周波数である。
【０１７５】
（１３）本発明の第６の態様は、基地局装置とセルを介して通信する端末装置に実装される集積回路であって、セルにおいて、第３の周波数と、第３の周波数とは異なる第４の周波数とを切り替えて基地局装置と通信する機能を端末装置に対して発揮させ、セルにおける無線リンク監視において、同期外れ（ｏｕｔ- ｏｆ-ｓｙｎｃ）の検出を第３の周波
数と第４の周波数の何れかでのみ行い、第３の周波数、および、第４の周波数の何れか一方は、端末装置が無線リソース制御（ＲＲＣ）接続を確立した周波数である。
【０１７６】
これにより、端末装置２は、効率的に基地局装置３との通信状況を監視することができる。
【０１７７】
なお、以上説明した実施形態は単なる例示に過ぎず、様々な変形例、置換例を用いて実現することができる。例えば、上りリンク送信方式は、ＦＤＤ（周波数分割復信）方式とＴＤＤ（時分割復信）方式のどちらの通信システムに対しても適用可能である。また、実施形態で示される各パラメータや各イベントの名称は、説明の便宜上呼称しているものであって、実際に適用される名称と本発明の実施形態の名称とが異なっていても、本発明の実施形態において主張する発明の趣旨に影響するものではない。
【０１７８】
また、各実施形態で用いた「接続」とは、ある装置と別のある装置とを、物理的な回線を用いて直接接続される構成にだけ限定されるわけではなく、論理的に接続される構成や、無線技術を用いて無線接続される構成を含む。
【０１７９】
端末装置２は、ユーザ端末、移動局装置、通信端末、移動機、端末、ＵＥ（Ｕｓｅｒ  Ｅｑｕｉｐｍｅｎｔ）、ＭＳ（Ｍｏｂｉｌｅ  Ｓｔａｔｉｏｎ）とも称される。基地局装置３は、無線基地局装置、基地局、無線基地局、固定局、ＮＢ（ＮｏｄｅＢ）、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｔａｔｉｏｎ）、ＢＳ（Ｂａｓｅ  Ｓｔａｔｉｏｎ）とも称される。
【０１８０】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置２は、集合体としての基地局装置３と通信することも可能である。
【０１８１】
また、上述した実施形態における基地局装置３は、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）であってもよい。また、上述した実施形態における基地局装置３は、ｅＮｏｄｅＢに対する上位ノードの機能の一部または全部を有してもよい。
【０１８２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１８３】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１８４】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１８５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１８６】
なお、本願発明は上述の実施形態に限定されるものではない。実施形態では、装置の一
例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１８７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１８８】
２（２Ａ、２Ｂ、２Ｃ）  端末装置
３（３Ａ、３Ｂ）  基地局装置
２０、３０  無線送受信部
２１、３１  アンテナ部
２２、３２  ＲＦ部
２３、３３  ベースバンド部
２４、３４  上位層処理部
２５、３５  媒体アクセス制御層処理部
２６、３６  無線リソース制御層処理部
【図１】
2019110356.tif 000003
【図２】
2019110356.tif 000004
【図３】
2019110356.tif 000005
【図４】
2019110356.tif 000006
【図５】
2019110356.tif 000007
【図６】
2019110356.tif 000008
【図７】
2019110356.tif 000009
【図８】
2019110356.tif 000010
【図９】
2019110356.tif 000011
【図１０】
2019110356.tif 000012
【図１１】
2019110356.tif 000013
【図１２】
2019110356.tif 000014
【図１３】
2019110356.tif 000015
【図１４】
2019110356.tif 000016